(57)【要約】  本発明は、符号分割多重接続移動通信システムの信号測定装置及び方法に関し、特に、時分割デュプレキシング方式の符号分割多重接続移動通信システムでハンドオーバー状況での信号測定装置及び方法に関する。無線網制御部は、同期信号及び第２基地局情報の測定が可能なすべてのパラメータを決定して、無線リンクの設定のときに第１基地局へ伝送し、無線ベアラーの設定のときに移動端末機へ伝送し、パラメータ選択情報を第１基地局及び移動端末機へ伝送する。第１基地局は、第１基地局から移動端末機へ順方向チャンネルが伝送される順方向時間区間の位置及び移動端末機から第１基地局へ逆方向チャンネルが伝送される逆方向時間区間の位置を変更する。移動端末機は、複数の時間区間のうち、変更された順方向時間区間及び変更された逆方向時間区間を除外した残りの時間区間で同期信号及び第２基地局情報を受信する。
2005510124.tif 000002
【特許請求の範囲】
【請求項１】
第１基地局と、前記第１基地局に隣接した第２基地局と、前記第１基地局によって占有されるセル内の移動端末機を含み、前記第１基地局及び前記移動端末機は、複数の時間区間を有するフレームを通じて時分割デュプレキシング符号分割多重接続通信方式を使用し、前記フレームの内の前記複数の時間区間のうち、少なくとも１つの時間区間を通じて前記第１基地局から前記移動端末機に順方向チャンネルが伝送され、前記複数の時間区間のうち、前記順方向チャンネルが伝送される前記少なくとも１つの時間区間を除外した残りの時間区間のうち、少なくとも１つの時間区間を通じて前記移動端末機から前記第１基地局へ逆方向チャンネルが伝送され、前記移動端末機及び前記第２基地局は、前記時分割デュプレキシング符号分割多重接続通信方式と異なる周波数帯域を使用する時分割通信方式によって通信でき、前記第２基地局から前記移動端末機に複数の時間区間のうち、少なくとも１つの時間区間を通じて前記第２基地局及び前記移動端末機の同期化のための同期信号と第２基地局の情報を示す制御チャンネルを順方向伝送するシステムにおいて、前記移動端末機が前記第２基地局から前記制御チャンネル上の前記同期信号と前記第２基地局の情報を測定する方法において、
前記第１基地局から前記移動端末機へ前記順方向チャンネルが伝送される前記順方向時間区間の位置及び前記移動端末機から前記第１基地局へ逆方向チャンネルが伝送される前記逆方向時間区間の位置を以前のサブフレーム及び次のサブフレームまたはフレームの内で変更して、前記第２基地局から前記移動端末機へ伝送される前記制御チャンネルの前記時間区間が位置するようにすることを特徴とする方法。
【請求項２】
前記以前のサブフレーム内の複数の時間区間のうち、第１時間区間及び第２時間区間のそれぞれを前記順方向時間区間及び前記逆方向時間区間に変更し、前記次のサブフレームの内に存在する第２スイッチングポイントに隣接する第３時間区間及び第４時間区間のそれぞれを前記順方向時間区間及び前記逆方向時間区間に変更する請求項１記載の方法。
【請求項３】
前記以前のサブフレーム及び前記次のサブフレームのそれぞれに存在する２個のスイッチングポイントのうち１つのスイッチングポイントに隣接する第１時間区間及び第２時間区間を前記順方向時間区間及び前記逆方向時間区間に変更する請求項１記載の方法。
【請求項４】
前記以前のサブフレーム及び前記次のサブフレームのそれぞれに存在する複数の時間区間のうち、最も遠く離れた第１時間区間と第２時間区間を前記逆方向時間区間と前記順方向時間区間に変更する請求項１記載の方法。
【請求項５】
連続する４つのサブフレームのうち第１サブフレームの内に存在する複数の時間区間の間に、前方に位置する４つの時間区間を前記逆方向時間区間と前記順方向時間区間に変更し、前記連続する４つのサブフレームのうち終わりのサブフレームの内に存在する 複数の時間区間の間に後方に位置する４つの時間区間を前記逆方向時間区間と前記順方向時間区間に変更する請求項１記載の方法。
【請求項６】
連続する４つのサブフレームのうち第１サブフレームの内に存在する複数の時間区間の間に、２個の時間区間のそれぞれで使用される複数のチャンネル区分用直交符号のうち少なくとも２個の直交符号を前記逆方向時間区間の直交符号と前記順方向時間区間の直交符号に変更し、前記連続する４つのサブフレームのうち終わりのサブフレームの内に存在する複数の時間区間の間に２個の時間区間のそれぞれで使用される複数のチャンネル区分用直交符号のうち少なくとも２個の直交符号を前記逆方向時間区間の直交符号と前記順方向時間区間の直交符号に変更する請求項１記載の方法。
【請求項７】
第１基地局と、前記第１基地局に隣接した第２基地局と、前記第１基地局によって占有されるセル内の移動端末機を含み、前記第１基地局及び前記移動端末機は、複数の時間区間を有するフレームを通じて時分割デュプレキシング符号分割多重接続通信方式を使用し、前記フレームの内の前記複数の時間区間のうち、少なくとも１つの時間区間を通じて前記第１基地局から前記移動端末機に順方向チャンネルが伝送され、前記複数の時間区間のうち、前記順方向チャンネルが伝送される前記少なくとも１つの時間区間を除外した残りの時間区間のうち、少なくとも１つの時間区間を通じて前記移動端末機から前記第１基地局へ逆方向チャンネルが伝送され、前記移動端末機及び前記第２基地局は、前記時分割デュプレキシング符号分割多重接続通信方式と異なる通信方式によって通信でき、前記第２基地局から前記移動端末機へ伝送される少なくとも１つの所定の順方向チャンネルを通じて、前記第２基地局及び前記移動端末機の同期化のための同期信号と第２基地局の情報を示す制御チャンネルを順方向伝送するシステムで、前記移動端末機が前記第２基地局から前記制御チャンネル上の前記同期信号及び前記第２基地局の情報を測定する方法において、
前記第１基地局から前記移動端末機へ前記順方向チャンネルが伝送される前記時間区間の位置及び前記移動端末機から前記第１基地局へ逆方向チャンネルが伝送される前記時間区間の位置を以前のサブフレーム及び次のサブフレームまたはフレームの内で変更して前記第２基地局から前記移動端末機へ伝送される前記制御チャンネルの前記時間区間が位置するようにすることを特徴とする方法。
【請求項８】
前記以前のサブフレーム内の複数の時間区間のうち、第１時間区間及び第２時間区間のそれぞれを前記順方向時間区間及び前記逆方向時間区間に変更し、前記次のサブフレームの内に存在する第２スイッチングポイントに隣接する第３時間区間及び第４時間区間のそれぞれを前記順方向時間区間及び前記逆方向時間区間に変更する請求項７記載の方法。
【請求項９】
前記以前のサブフレームと前記次のサブフレームのそれぞれに存在する２個のスイッチングポイントのうち、１つのスイッチングポイントに隣接する第１時間区間及び第２時間区間を前記順方向時間区間及び前記逆方向時間区間に変更する請求項７記載の方法。
【請求項１０】
前記以前のサブフレーム及び前記次のサブフレームのそれぞれに存在する複数の時間区間のうち、最も遠く離れた第１時間区間と第２時間区間を前記逆方向時間区間と前記順方向時間区間に変更する請求項７記載の方法。
【請求項１１】
連続する４つのサブフレームのうち第１サブフレームの内に存在する複数の時間区間のうち、前方に位置する４つの時間区間を前記逆方向時間区間と前記順方向時間区間に変更し、前記連続する４つのサブフレームのうち終わりのサブフレームの内に存在する複数の時間区間のうち、後方に位置する４つの時間区間を前記逆方向時間区間と前記順方向時間区間に変更する請求項７記載の方法。
【請求項１２】
連続する４つのサブフレームのうち第１サブフレームの内に存在する複数の時間区間のうち、２個の時間区間のそれぞれで使用される複数のチャンネル区分用直交符号のうち少なくとも２個の直交符号を前記逆方向時間区間の直交符号と前記順方向時間区間の直交符号に変更し、前記連続する４つのサブフレームのうち終わりのサブフレームの内に存在する複数の時間区間のうち、２個の時間区間のそれぞれで使用される複数のチャンネル区分用直交符号のうち少なくとも２個の直交符号を前記逆方向時間区間の直交符号と前記順方向時間区間の直交符号に変更する請求項７記載の方法。
【請求項１３】
第１基地局と、前記第１基地局に隣接した第２基地局と、前記第１基地局を管理する無線網制御部と、前記第１基地局によって占有されるセル内の移動端末機を含み、前記第１基地局及び前記移動端末機は、複数の時間区間を有するフレームを通じて時分割デュプレキシング符号分割多重接続通信方式を使用し、前記フレームの内の前記複数の時間区間のうち、少なくとも１つの時間区間を通じて前記第１基地局から前記移動端末機へ順方向チャンネルが伝送され、前記複数の時間区間のうち、前記順方向チャンネルが伝送される前記少なくとも１つの時間区間を除外した残りの時間区間のうち、少なくとも１つの時間区間を通じて前記移動端末機から前記第１基地局へ逆方向チャンネルが伝送され、前記移動端末機及び前記第２基地局は、前記時分割デュプレキシング符号分割多重接続通信方式と異なる周波数帯域または異なる通信方式によって通信でき、前記第２基地局から前記移動端末機へ伝送される少なくとも１つの順方向チャンネルを通じて前記第２基地局及び前記移動端末機の同期化のための同期信号と第２基地局の情報を示す制御チャンネルを順方向伝送するシステムで、前記移動端末機が前記第２基地局から前記制御チャンネル上の前記同期信号と前記第２基地局の情報を測定する方法において、
前記無線網制御部で前記同期信号及び前記第２基地局の情報の測定が可能なすべてのパラメータを決定して、無線リンクの設定のときに前記第１基地局へ伝送し、無線ベアラーの設定のときに前記移動端末機へ伝送する過程と、
前記無線網制御部で前記同期信号及び前記第２基地局の情報の測定が必要であると認知すると、前記同期信号及び前記第２基地局の情報を測定するためのパラメータ選択情報を前記第１基地局及び前記移動端末機へ伝送する過程と、
前記第１基地局及び前記移動端末機は、前記すべてのパラメータのうち、前記パラメータ選択情報に基づいて選択されたパラメータによって、前記第１基地局から前記移動端末機へ前記順方向チャンネルが伝送される順方向時間区間の位置及び前記移動端末機から前記第１基地局へ逆方向チャンネルが伝送される逆方向時間区間の位置を変更する過程と、
前記移動端末機が前記複数の時間区間のうち、前記変更された順方向時間区間及び前記変更された逆方向時間区間を除外した残りの時間区間で、前記第２基地局から伝送される前記同期信号及び前記第２基地局の情報を受信する過程と、を備えることを特徴とする方法。
【請求項１４】
前記すべてのパラメータのそれぞれは、測定区間開始時点、測定区間、測定区間間隔、測定区間数列、及び測定区間数列反復回数を備える請求項１３記載の方法。
【請求項１５】
前記パラメータ選択情報は、前記すべてのパラメータのうちいずれか１つを指定するインデックスである請求項１３記載の方法。 
【請求項１６】
前記すべてのパラメータは、以前のサブフレーム及び次のサブフレームまたはフレームの内で、前記第２基地局から伝送される前記制御チャンネルの前記時間区間が位置することができる順方向時間区間の位置及び逆方向時間区間の位置に基づいて決定される請求項１３記載の方法。
【請求項１７】
前記以前のサブフレーム及び前記次のサブフレームのそれぞれでの前記変更された順方向時間区間及び前記変更された逆方向時間区間を連続するようにし、前記以前のサブフレームでの前記変更された順方向時間区間及び前記変更された逆方向時間区間は、前記次のサブフレームでの前記変更された順方向時間区間及び前記変更された逆方向時間区間を最大に離隔するようにする請求項１６記載の方法。 
【請求項１８】
第１基地局と、前記第１基地局に隣接した第２基地局と、前記第１基地局を管理する無線網制御部と、前記第１基地局によって占有されるセル内の移動端末機を含み、前記第１基地局及び前記移動端末機は、複数の時間区間を有するフレームを通じて時分割デュプレキシング符号分割多重接続通信方式を使用し、前記フレームの内の前記複数の時間区間のうち、少なくとも１つの時間区間を通じて前記第１基地局から前記移動端末機へ順方向チャンネルが伝送され、前記複数の時間区間のうち、前記順方向チャンネルが伝送される前記少なくとも１つの時間区間を除外した残りの時間区間のうち、少なくとも１つの時間区間を通じて前記移動端末機から前記第１基地局へ逆方向チャンネルが伝送され、前記移動端末機及び前記第２基地局は、前記時分割デュプレキシング符号分割多重接続通信方式と異なる周波数帯域または異なる通信方式によって通信でき、前記第２基地局から前記移動端末機へ伝送される少なくとも１つの順方向チャンネルを通じて前記第２基地局及び前記移動端末機の同期化のための同期信号と第２基地局の情報を示す制御チャンネルを順方向伝送するシステムで、前記移動端末機が前記第２基地局から前記制御チャンネル上の前記同期信号と前記第２基地局の情報を測定する方法において、
前記無線網制御部で前記同期信号及び前記第２基地局の情報の測定が可能なすべてのパラメータを決定し、前記無線網制御部が前記移動端末機での前記同期信号及び前記第２基地局の情報の測定が必要であると認知すると、前記すべてのパラメータのうちいずれか１つのパラメータを前記第１基地局及び前記移動端末機へ伝送する過程と、
前記第１基地局及び前記移動端末機は、前記無線網制御部が選択したパラメータによって、前記第１基地局から前記移動端末機へ前記順方向チャンネルが伝送される順方向時間区間の位置及び前記移動端末機から前記第１基地局へ逆方向チャンネルが伝送される逆方向時間区間の位置を変更する過程と、
前記移動端末機が前記複数の時間区間のうち、前記変更された順方向時間区間及び前記変更された逆方向時間区間を除外した残りの時間区間で、前記第２基地局から伝送される前記同期信号及び前記第２基地局の情報を受信する過程と、を備えることを特徴とする方法。
【請求項１９】
前記すべてのパラメータのそれぞれは、測定区間開始時点、測定区間、測定区間間隔、測定区間数列、及び測定区間数列反復回数を備える請求項１８記載の方法。 
【請求項２０】
前記パラメータ選択情報は、前記すべてのパラメータのうちいずれか１つを指定するインデックスである請求項１８記載の方法。
【請求項２１】
前記すべてのパラメータは、以前のサブフレーム及び次のサブフレームまたはフレームの内で、前記第２基地局から伝送される前記制御チャンネルの前記時間区間が位置することができる順方向時間区間の位置及び逆方向時間区間の位置に基づいて決定される請求項１８記載の方法。
【請求項２２】
前記以前のサブフレーム及び前記次のサブフレームのそれぞれでの前記変更された順方向時間区間及び前記変更された逆方向時間区間を連続するようにし、前記以前のサブフレームでの前記変更された順方向時間区間及び前記変更された逆方向時間区間は、前記次のサブフレームでの前記変更された順方向時間区間及び前記変更された逆方向時間区間を最大に離隔するようにする請求項２１記載の方法。
【請求項２３】
第１基地局と、前記第１基地局に隣接した第２基地局と、前記第１基地局を管理する無線網制御部と、前記第１基地局によって占有されるセル内の移動端末機を含み、前記第１基地局及び前記移動端末機は、複数の時間区間を有するフレームを通じて時分割デュプレキシング符号分割多重接続通信方式を使用し、前記フレームの内の前記複数の時間区間のうち、少なくとも１つの時間区間を通じて前記第１基地局から前記移動端末機へ順方向チャンネルが伝送され、前記複数の時間区間のうち、前記順方向チャンネルが伝送される前記少なくとも１つの時間区間を除外した残りの時間区間のうち、少なくとも１つの時間区間を通じて前記移動端末機から前記第１基地局へ逆方向チャンネルが伝送され、前記移動端末機及び前記第２基地局は、前記時分割デュプレキシング符号分割多重接続通信方式と異なる周波数帯域または異なる通信方式によって通信でき、前記第２基地局から前記移動端末機へ伝送される少なくとも１つの順方向チャンネルを通じて前記第２基地局及び前記移動端末機の同期化のための同期信号と第２基地局の情報を示す制御チャンネルを順方向伝送するシステムで、前記移動端末機が前記第２基地局から前記制御チャンネル上の前記同期信号及び前記第２基地局の情報を測定する装置において、
前記同期信号及び前記第２基地局の情報の測定が可能なすべてのパラメータを決定して、無線リンクの設定のときに前記第１基地局へ伝送し、無線ベアラーの設定のときに前記移動端末機へ伝送し、前記同期信号及び前記第２基地局の情報の測定が必要であると認知すると、前記同期信号及び前記第２基地局の情報を測定するためのパラメータ選択情報を前記第１基地局及び前記移動端末機へ伝送する無線網制御部と、
前記すべてのパラメータのうち、前記パラメータ選択情報に基づいて選択されたパラメータによって、前記第１基地局から前記移動端末機へ前記順方向チャンネルが伝送される順方向時間区間の位置及び前記移動端末機から前記第１基地局へ逆方向チャンネルが伝送される逆方向時間区間の位置を変更する前記第１基地局と、
前記すべてのパラメータのうち、前記パラメータ選択情報に基づいて選択されたパラメータによって、前記第１基地局から前記移動端末機へ前記順方向チャンネルが伝送される順方向時間区間の位置及び前記移動端末機から前記第１基地局へ逆方向チャンネルが伝送される逆方向時間区間の位置を変更し、前記複数の時間区間のうち、前記変更された順方向時間区間及び前記変更された逆方向時間区間を除外した残りの時間区間で、前記第２基地局から伝送される前記同期信号及び前記第２基地局の情報を受信する移動端末機と、を備えることを特徴とする装置。
【請求項２４】
前記すべてのパラメータのそれぞれは、測定区間開始時点、測定区間、測定区間間隔、測定区間数列、及び測定区間数列反復回数を備える請求項２３記載の装置。 
【請求項２５】
前記パラメータ選択情報は、前記すべてのパラメータのうちいずれか１つを指定するインデックスである請求項２３記載の装置。
【請求項２６】
前記すべてのパラメータは、以前のサブフレーム及び次のサブフレームまたはフレームの内で、前記第２基地局から伝送される前記制御チャンネルの前記時間区間が位置することができる順方向時間区間の位置及び逆方向時間区間の位置に基づいて決定される請求項２３記載の装置。 
【請求項２７】
前記以前のサブフレーム及び前記次のサブフレームのそれぞれでの前記変更された順方向時間区間及び前記変更された逆方向時間区間を連続するようにし、前記以前のサブフレームでの前記変更された順方向時間区間及び前記変更された逆方向時間区間は、前記次のサブフレームでの前記変更された順方向時間区間及び前記変更された逆方向時間区間を最大に離隔するようにする請求項２６記載の装置。 
【請求項２８】
第１基地局と、前記第１基地局に隣接した第２基地局と、前記第１基地局を管理する無線網制御部と、前記第１基地局によって占有されるセル内の移動端末機を含み、前記第１基地局及び前記移動端末機は、複数の時間区間を有するフレームを通じて時分割デュプレキシング符号分割多重接続通信方式を使用し、前記フレームの内の前記複数の時間区間のうち、少なくとも１つの時間区間を通じて前記第１基地局から前記移動端末機へ順方向チャンネルが伝送され、前記複数の時間区間のうち、前記順方向チャンネルが伝送される前記少なくとも１つの時間区間を除外した残りの時間区間のうち、少なくとも１つの時間区間を通じて前記移動端末機から前記第１基地局へ逆方向チャンネルが伝送され、前記移動端末機及び前記第２基地局は、前記時分割デュプレキシング符号分割多重接続通信方式と異なる周波数帯域または異なる通信方式によって通信でき、前記第２基地局から前記移動端末機へ伝送される少なくとも１つの順方向チャンネルを通じて前記第２基地局と同期化のための同期信号及び第２基地局の情報を示す制御チャンネルを順方向伝送するシステムで、前記移動端末機が前記第２基地局から前記制御チャンネル上の前記同期信号及び前記第２基地局の情報を測定する装置において、
前記同期信号及び前記第２基地局の情報の測定が可能なすべてのパラメータを決定し、前記移動端末機での前記同期信号及び前記第２基地局の情報の測定が必要であると認知すると、前記すべてのパラメータのうちいずれか１つのパラメータを前記第１基地局及び前記移動端末機へ伝送する前記無線網制御部と、
前記無線網制御部が選択したパラメータによって、前記第１基地局から前記移動端末機へ前記順方向チャンネルが伝送される順方向時間区間の位置及び前記移動端末機から前記第１基地局へ逆方向チャンネルが伝送される逆方向時間区間の位置を変更する前記第１基地局と、
前記無線網制御部が選択したパラメータによって、前記第１基地局から前記移動端末機へ前記順方向チャンネルが伝送される順方向時間区間の位置及び前記移動端末機から前記第１基地局へ逆方向チャンネルが伝送される逆方向時間区間の位置を変更し、前記複数の時間区間のうち、前記変更された順方向時間区間及び前記変更された逆方向時間区間を除外した残りの時間区間で、前記第２基地局から伝送される前記同期信号及び前記第２基地局の情報を受信する前記移動端末機と、を備えることを特徴とする装置。
【請求項２９】
前記すべてのパラメータのそれぞれは、測定区間開始時点、測定区間、測定区間間隔、測定区間数列、及び測定区間数列反復回数を備える請求項２８記載の装置。 
【請求項３０】
前記パラメータ選択情報は、前記すべてのパラメータのうちいずれか１つを指定するインデックスである請求項２８記載の装置。 
【請求項３１】
前記すべてのパラメータは、以前のサブフレーム及び次のサブフレームまたはフレームの内で、前記第２基地局から伝送される前記制御チャンネルの前記時間区間が位置することができる順方向時間区間の位置及び逆方向時間区間の位置に基づいて決定される請求項２８記載の装置。 
【請求項３２】
前記以前のサブフレーム及び前記次のサブフレームのそれぞれでの前記変更された順方向時間区間及び前記変更された逆方向時間区間を連続するようにし、前記以前のサブフレームでの前記変更された順方向時間区間及び前記変更された逆方向時間区間は、前記次のサブフレームでの前記変更された順方向時間区間及び前記変更された逆方向時間区間を最大に離隔するようにする請求項３１記載の装置。
【発明の詳細な説明】
【技術分野】
【０００１】
本発明は、符号分割多重接続(Code Division Multiple Access；ＣＤＭＡ)移動通信システムでの信号測定装置及び方法に関し、特に、時分割デュプレキシング(Time Division Duplexing；ＴＤＤ)方式のＣＤＭＡ移動通信システムでハンドオーバー状況での信号測定装置及び方法に関する。
【背景技術】
【０００２】
通常、音声サービスを主に提供する第２世代移動通信システムは、ＧＳＭ(Global System for Mobile Communications)システム及びＩＳ(Interim Standard)−９５システムなどを含んでいる。前記ＧＳＭは、１９９２年にヨーロッパを中心にして商用化されており、時分割多重接続(Time Division Multiple Access；以下、“ＴＤＭＡ”と略称する。)方式を使用してサービスを提供している。一方、前記ＩＳ−９５は、韓国及び米国を中心にして商用化され、ＣＤＭＡ方式を使用する。
【０００３】
一方、前記第２世代移動通信方式で発展した第３世代移動通信方式は、音声サービスのみならず、パケットサービスも支援する移動通信方式を称し、ＣＤＭＡ方式を使用する。前記第３世代移動通信方式には、基地局間の非同期に基づいているヨーロッパ及び日本型標準方式である３ＧＰＰ(3rd Generation Project Partnership)またはＵＭＴＳ(Universal Mobile Telecommunications System))及び基地局間の同期に基づいている米国型標準方式である３ＧＰＰ２(3rd Generation Project Partnership 2)またはＣＤＭＡ−２０００がある。前記３ＧＰＰでは、限定されたチャンネルの使用効率を向上させるために、逆方向及び順方向送信を周波数で区別する周波数分割デュプレキシング(Frequency Division Duplexing；以下、“ＦＤＤ”と略称する。)方式と逆方向及び順方向送信を時間で区別する時分割デュプレキシング(Time Division Duplexing；以下、“ＴＤＤ”と略称する。)方式とを提案している。一方、前記ＴＤＤ方式は、３．８４Ｍｃｐｓ(Mega chip per second)のチップレート(chip rate)を使用する広帯域(wideband)時分割デュプレキシング(以下、“ＷＢ−ＴＤＤ”と略称する。)方式と１．２８Ｍｃｐｓのチップレートを使用する狭帯域(narrow band)時分割デュプレキシング(以下、“ＮＢ−ＴＤＤ”と略称する。)方式とに区分される。 
【０００４】
前記第３世代移動通信方式によるサービスが商用化されるときに現在商用化がなされた前記第２世代移動通信方式によるサービスと共存することは自明であろう。このとき、第２世代移動通信システム及び第３世代移動通信システムは、相互に異なる周波数または通信方式を使用するに従って、相互互換のための方案を立てる必要がある。また、相互に異なる周波数または相互に異なる通信方式を支援する第３世代移動通信システムの間にも相互互換のための方案を立てる必要がある。特に、相互に異なる通信方式または相互に異なる周波数を使用するシステム間の相互互換のためには、ハンドオーバーを適切に遂行することが最も重要である。すなわち、前述した相互に異なる通信方式(ＦＤＤ、ＷＢ−ＴＤＤ、ＮＢ−ＴＤＤ、ＧＳＭ、及びＣＤＭＡ−２０００など)を支援するシステム及び相互に異なる周波数を使用するシステムは、同一の通信方式を使用しても、複数の地域に隣接して存在することができる。このような状況で、移動端末機（User Equipment；以下、“ＵＥ”と略称する。)が、所定の通信方式及び所定の周波数によってサービスを受信している基地局(Ｎｏｄｅ Ｂ)の領域から異なる通信方式及び異なる周波数を使用するＮｏｄｅ Ｂの領域に移動すると、グローバルローミング(global roaming)のために前記Ｎｏｄｅ Ｂ間のハンドオーバーを必要とする。このとき、前記Ｎｏｄｅ Ｂ間のハンドオーバーは、周波数間のハンドオーバー(inter-frequency handover)と無線接近技術間のハンドオーバー(inter-RAT(Radio Access Technology handover)とに区分されることができる。
【０００５】
まず、前記inter-RATハンドオーバーは、相互に異なる通信方式を使用する移動通信システム間のハンドオーバーを意味し、前記inter-RATハンドオーバーのためには、ハンドオーバーの対象になる移動通信システムのＮｏｄｅ Ｂ（以下、“ターゲットＮｏｄｅ Ｂ”と称する。)の状態を、ＵＥがモニタリングすることが要求される。前記ターゲットＮｏｄｅ Ｂをモニタリングすることを“inter-RAT測定”という。 
【０００６】
次に、前記inter-frequencyハンドオーバーは、相互に異なる周波数を使用する移動通信システム間のハンドオーバーを意味する。すなわち、同一の通信方式を使用する移動通信システムのＮｏｄｅ Ｂであるとしても、相互に異なる周波数を使用する場合でのハンドオーバーを意味する。一方、前記inter-RATハンドオーバーのためには、ＵＥがターゲットＮｏｄｅ Ｂの状態をモニタリングしなければならないが、前記ターゲットＮｏｄｅ Ｂの状態をモニタリングすることを“inter-frequency測定”という。 
【０００７】
前記inter-frequency測定または前記inter-RAT測定のために、第３世代移動通信方式では多様な測定方法が使用されている。前記方法のうち代表的な３つの測定方法は、次のようである。第１測定方法は、現在ＵＥが通信しているＮｏｄｅ Ｂと一定の期間の間の通信を中断し、ターゲットＮｏｄｅ Ｂから異なる周波数帯域または異なる通信方式にて受信される信号を測定する方法である。第２測定方法は、前記第１方法によって、一定の期間の間に通信を中断するとしても、現在設定されている呼の品質を継続して保持するために、前記呼を通じて伝送されるデータ伝送率を一定の期間の間に高くする方法である。第３測定方法は、前記第１方法によって、一定の期間の間に通信を中断するとしても、現在設定されている呼を保持するために、前記呼を通じて伝送されるデータ伝送率を一定の期間の間に低くするる方法である。 
【０００８】
前述した測定方法は、順方向伝送及び逆方向伝送を区分するために時分割デュプレキシング方式を使用するかまたは周波数分割デュプレキシング方式を使用するかに従って、それぞれ異なって適用されることができる。特に、時分割デュプレキシング方式が順方向伝送及び逆方向伝送を時分割区分して使用する場合に、ＵＥは、順方向及び逆方向伝送を遂行しない区間を利用して、前記inter-frequency測定または前記inter-RAT測定を遂行する。
【０００９】
以下、前述した通信方式を使用する移動通信システムでのチャンネル構造に対して説明すると、次のようである。 
図１Ａは、通常的なＮＢ−ＴＤＤ方式を使用する移動通信システムでのフレームの構造を示し、図１Ｂは、図１Ａに示すタイムスロット及び順方向パイロットタイムスロット（Downlink Pilot Time Slot；以下、“ＤｗＰＴＳ”と略称する。）の構造を示す。
【００１０】
図１Ａを参照すると、１つのフレーム１０１は、ＮＢ−ＴＤＤ方式で使用するチップレート１．２８Ｍｃｐｓに基づいて、１２，８００チップの長さ(１０ｍｓ)を有し、５ｍｓの長さを有する２個のサブフレームで構成される。１つのフレーム１０１を構成する２個のサブフレームは、同一の構造を有する。１つのサブフレーム１０２は、７個のタイムスロットＴＳ＃０乃至ＴＳ＃６と、順方向パイロットタイムスロット(Downlink Pilot Time Slot；以下、“ＤｗＰＴＳ”と略称する。)１０４と、逆方向パイロットタイムスロット(Uplink Pilot Time Slot；以下、“ＵｐＰＴＳ”と略称する。)１０６と、保護区間(Guard Period；以下、“ＧＰ”と略称する。)１０５と、から構成される。前記タイムスロットのそれぞれは、８６４チップの長さを有し、逆方向(Up link；以下、“ＵＬ”と略称する。)タイムスロットまたは順方向(Down link；以下、“ＤＬ”と略称する。) タイムスロットとして使用される。図１Ａにおいて、上向き矢印は、ＵＬタイムスロットを示し、下向き矢印は、ＤＬタイムスロットを示す。１つのサブフレーム１０２を構成する７個のタイムスロットのうちＤＬタイムスロットまたはＵＬタイムスロットの数は、Ｎｏｄｅ Ｂの内の逆方向及び順方向伝送データの比率によって設定される。しかし、前記１つのサブフレーム１０２を構成する７個のタイムスロット(ＴＳ＃０乃至ＴＳ＃６)のうち、第１タイムスロットＴＳ＃０は、常にＤＬタイムスロットとして使用されなければならず、第２タイムスロットＴＳ＃１は、常にＵＬタイムスロットとして使用されなければならない。さらに、ＤｗＰＴＳ(96chips)１０４、ＧＰ(96chips)１０５、及びＵｐＰＴＳ(160chips)１０６は、前記ＴＳ＃０と前記ＴＳ＃１との間に存在する。ＤｗＰＴＳ１０４は、ＵＥが初期セル(cell)探索、同期化、またはチャンネル推定(channel estimation)を遂行するために使用され、ＵｐＰＴＳ１０６は、Ｎｏｄｅ Ｂがチャンネル推定を遂行し、ＵＥとの逆方向同期を合わせるために使用される。ＧＰ１０５は、隣接したＴＳ＃０及びＴＳ＃１がそれぞれＤＬタイムスロット及びＵＬタイムスロットとして使用されるので、前記ＴＳ＃０を通じて伝送される順方向伝送信号の多重経路の遅延によって前記ＴＳ＃１を通じて伝送される逆方向伝送信号で発生する干渉を防止するために使用される。前記ＮＢ−ＴＤＤ方式では、前述したような多重経路の遅延による干渉を防止するために、１つのサブフレームの内に２個のスイッチングポイントが要求される。従って、前記スイッチングポイントは、ＤＬタイムスロット及びＵＬタイムスロットの転換点に存在するようになる。前記２個のスイッチングポイントのうち第１スイッチングポイントは、ＤｗＰＴＳ１０４とＵｐＰＴＳ１０６との間に固定されており、第２スイッチングポイントは、逆方向及び順方向伝送データの比率に従って前記ＴＳ＃１とＴＳ＃６との間の任意の位置に存在する。
【００１１】
一方、前記ＴＳ＃０を通じて、第１共通制御物理チャンネル(Primary Common Control Physical Channel；以下、“Ｐ−ＣＣＰＣＨ”と略称する。)１０７が、２個のコードを使用して伝送される。ここで、前記コードは、ＮＢ−ＴＤＤ方式の移動通信システムで同一のタイムスロットを使用する順方向チャンネルを区別するか、または同一のタイムスロットを使用する逆方向チャンネルを区別する機能を遂行する。通常、前記コードとしては、長さ１６の直交コードが使用される。前記Ｐ−ＣＣＰＣＨ１０７は、Ｎｏｄｅ Ｂのシステム情報を含んでいる放送チャンネル(Broad Casting Channel；以下、“ＢＣＨ”と略称する。)を伝送する物理チャンネルである。
【００１２】
図１Ｂを参照すると、Ｐ−ＣＣＰＣＨ１０７は、２個のデータ領域１０９及び１１１、ミッドアンブル領域１１０、及びＧＰ１１２からなる。データ領域１０９及び１１１のそれぞれを通じて伝送されるデータシンボルは、拡散係数(spreading factor；以下、“ＳＦ”と略称する。)１６であるチャンネル区分用直交符号で拡散され、３５２チップの長さを有する。ミッドアンブル領域１１０を通じて伝送されるミッドアンブルは、ＤＬタイムスロットである場合とＵＬタイムスロットである場合に従って異なる機能を有する。ＤＬタイムスロットの場合に、前記ミッドアンブルは、ＵＥがＮｏｄｅ Ｂから伝送されるチャンネルを決定し、Ｎｏｄｅ Ｂとのチャンネル環境を推定するために使用される。ＵＬタイムスロットの場合に、前記ミッドアンブルは、Ｎｏｄｅ ＢでどんなＵＥがチャンネルを伝送しているかを判断するために使用され、そしてＵＥとＮｏｄｅ Ｂとの間のチャンネル環境を推定するために使用される。前記ミッドアンブルに対しては、Ｐ−ＣＣＰＣＨは、ｍ(１)コードとｍ(２)コードを使用する。前記それぞれのコードは、１つのセルごとに固有に有する基本ミッドアンブルコードをシフトしたコードのうちの１つである。前記ＮＢ−ＴＤＤ方式の移動通信システムでは、Ｎｏｄｅ Ｂに無関係に、基本ミッドアンブルコードをシフトして生成したｍ(１)コード及びｍ(２)コードをＰ−ＣＣＰＣＨのために割り当てる。前記ｍ(２)コードは、時間分割ダイバーシティ(Time Switched Transmit Diversity；ＴＳＴＤ)を使用するときに第２アンテナを通じて伝送されるチャンネルに使用される。ＧＰ１１２は、タイムスロットの終わりの部分に存在する１６チップの区間に、隣接したタイムスロットの信号との間に発生する干渉を除去する機能を遂行する。
【００１３】
ＤｗＰＴＳ１０４は、３２チップのＧＰ１１３及び６４チップのＳＹＮＣ−ＤＬコード１１４から構成される。ＧＰ１１３は、前記ＴＳ＃０のＧＰ１１２とともに４８チップ区間のＧＰを形成するが、これは、前記ＴＳ＃０とＤｗＰＴＳ１０４との間の多重経路の遅延による干渉を除去する機能を遂行する。前述したように、４８チップという長い区間をＧＰに割り当てる理由は、ＤｗＰＴＳ１０４内のＳＹＮＣ−ＤＬコード１１４が非常に重要な機能を遂行するので、これを安定して受信するためである。ＳＹＮＣ−ＤＬコード１１４は、ＵＥがＮＢ−ＴＤＤ方式の移動通信システムをアクセスしたときに始めに探索する信号であり、初期セル探索及びセルとの同期を合わせるために使用される。従って、ＳＹＮＣ−ＤＬコード１１４が前記ＴＳ＃０を通じて伝送される信号によって干渉が発生すると、ＵＥは、Ｎｏｄｅ Ｂとの正常な通信を遂行できない。
【００１４】
ＳＹＮＣ−ＤＬコード１１４は、すべて３２種類が存在する。従って、ＵＥは、前記３２通りの可能なコードワードと現在受信している最も大きい強度の信号との相関(correlation)を計算してＳＹＮＣ−ＤＬコードを判断し、自分が属したセルとの同期を合わせる。
【００１５】
図２Ａ乃至図２Ｃは、通常的なＷＢ−ＴＤＤ方式を使用する移動通信システムのチャンネル構造を示す。図２Ａは、通常的なＷＢ−ＴＤＤ方式を使用する移動通信システムでのフレーム構造を示す。図２Ｂ及び図２Ｃは、Ｐ−ＣＣＰＣＨ、第１同期チャンネル(Primary Synchronization Channel；以下、“Ｐ−ＳＣＨ”と略称する。)、及び第２同期チャンネル(Secondary Synchronization Channel；以下、“Ｓ−ＳＣＨ”と略称する。)の構造の例を示す。図２Ｂ及び図２Ｃに示しているＰ−ＣＣＰＣＨ、Ｐ−ＳＣＨ、及びＳ−ＳＣＨは、ＵＥがＷＢ−ＴＤＤ方式の移動通信システムから信号を測定するか、または前記ＷＢ−ＴＤＤ方式の移動通信システムに接続するときに始めに受信されるチャンネルである。すなわち、前記Ｐ−ＣＣＰＣＨは、ＵＥがＷＢ−ＴＤＤ方式の移動通信システムのＮｏｄｅ Ｂの情報を得るために使用され、Ｐ−ＳＣＨ及びＳ−ＳＣＨは、ＵＥが前記ＷＢ−ＴＤＤ方式の移動通信システムのＮｏｄｅ Ｂと同期を合わせるために使用される。
【００１６】
図１Ａ及び図１Ｂで説明されたＮＢ−ＴＤＤ方式及び前記ＷＢ−ＴＤＤ方式の最も大きな差異は、データを伝送する帯域幅である。すなわち、前記ＮＢ−ＴＤＤ方式は、１．２８ＭＨｚの帯域幅を使用し、一方、前記ＷＢ−ＴＤＤ方式は、３．８４ＭＨｚの帯域幅を使用する。また、前記ＷＢ−ＴＤＤ方式では、前記ＮＢ−ＴＤＤ方式とは異なり、ＤｗＰＴＳ及びＵｐＰＴＳが存在しない。ＮＢ−ＴＤＤ方式で使用されるミッドアンブル及びＷＢ−ＴＤＤ方式で使用されるプリアンブルは、同一の目的を有するが、相互に異なる符号を使用する。 
【００１７】
図２Ａを参照すると、フレーム２０１は、ＷＢ−ＴＤＤ方式で使用するチップレート３．８４Ｍｃｐｓに従って３８，４００チップの長さ(１０ｍｓ)を有し、１つのフレームは、１５個のタイムスロットＴＳ＃０乃至ＴＳ＃１４で構成されている。タイムスロット２０２は、２，５６０チップの長さ(０．６７ｍｓ)を有し、ＤＬタイムスロットまたはＵＬタイムスロットとして割り当てられる。
【００１８】
図２Ｂ及び図２Ｃに示しているように、Ｐ−ＣＣＰＣＨ２０４及び２１０、Ｐ−ＳＣＨ２０５及び２１１、そしてＳ−ＳＣＨ２０６及び２１２の位置は、２つの場合が存在する。図２Ｂに示している一番目の場合には、Ｐ−ＣＣＰＣＨ２０４、Ｐ−ＳＣＨ２０５、及びＳ−ＳＣＨ２０６が１５個のタイムスロットのうち１つのタイムスロットＴＳ＃ｋ２０３を通じて同時に伝送される例である。図２Ｃに示している二番目の場合には、Ｐ−ＣＣＰＣＨ２１０、Ｐ−ＳＣＨ２１１、及びＳ−ＳＣＨ２１２がＴＳ＃ｋ２０８を通じて一回伝送され、Ｐ−ＳＣＨ２１１及びＳ−ＳＣＨ２１２がＴＳ＃(ｋ＋８)２０９を通じてもう一回伝送される例である。いずれにしても、Ｐ−ＳＣＨ２０５、２１１及びＳ−ＳＣＨ２０６、２１２は、２５６チップの長さを有するタイムオフセットｔｏｆｆｓｅｔ，ｎ２０７及び２１３をもって伝送される。Ｐ−ＳＣＨ２０５、２１１は、ＷＢ−ＴＤＤ方式のすべてのセルに共通に使用される単一コードであり、ＵＥによって一番先に受信されるチャンネルである。特に、Ｐ−ＳＣＨ２０５、２１１は、Ｓ−ＳＣＨ２０６、２１２と同一のタイムスロットで伝送されるので、Ｓ−ＳＣＨ２０６、２１２の位置を通報する機能を遂行する。Ｓ−ＳＣＨ２０６、２１２は３個のコードが同時に伝送されるが、各コードの配列は３２種類が存在し、これは、それぞれ１つのスクランブリングコードグループと関連されている。前記スクランブリングコードは、隣接したＮｏｄｅ Ｂ間の信号の区別に使用される。タイムオフセット２０７及び２１３は、コードグループごとに定められている値であり、各コードグループが異なる位置で最大相関値を有するようにする。ＷＢ−ＴＤＤ方式が基本的に同期方式の移動通信システムであるので、セル境界地点にＵＥが位置していると、同一のタイムスロットで隣接Ｎｏｄｅ ＢのＰ−ＳＣＨ及びＳ−ＳＣＨを受信するにおいて性能低下をもたらし得る。このような問題点を解決するために、タイムオフセット２０７及び２１３を必要とする。すなわち、タイムオフセット２０７及び２１３を使用して前記隣接Ｎｏｄｅ ＢがＰ−ＳＣＨ及びＳ−ＳＣＨを伝送するようにすることにより、前記目的するＰ−ＳＣＨ及びＳ−ＳＣＨの受信性能を高めることができる。
【００１９】
従って、ＵＥは、前記Ｐ−ＳＣＨとの相関を通じてセルを探索し、前記Ｐ−ＳＣＨの位相を基準にして前記Ｓ−ＳＣＨとの相関を遂行して３個のＳ−ＳＣＨが示すコードグループを決定する。このとき、そのコードグループごと決定されているタイムオフセット値でスロット同期を合わせる。
【００２０】
図３Ａ乃至図３Ｃは、通常的なＧＳＭ方式を使用する移動通信システムのチャンネル構造を示す。図３Ａは、通常的なＧＳＭ方式を使用する移動通信システムでのマルチフレームの構造を示し、図３Ｂは、図３Ａに示しているマルチフレーム構造で周波数補正チャンネル(Frequency Correction Channel；以下、“ＦＣＣＨ”と略称する。)及びＳＣＨの位置を示し、図３Ｃは、前記ＦＣＣＨ及びＳＣＨの構造を示す。図３Ｂ及び図３Ｃに示しているＦＣＣＨ及びＳＣＨは、ＵＥがＧＳＭ方式の移動通信システムから信号を測定するか、またはＧＳＭ方式の移動通信システムを接続するときに始めに受信されるチャンネルである。前記ＦＣＣＨ及びＳＣＨは、ＵＥが前記ＧＳＭ方式の移動通信システムで使用する周波数及びＮｏｄｅ Ｂとの同期を探索する場合に使用される。前記ＧＳＭ方式の移動通信システムは、第２世代移動通信システムのうち、代表的な非同期方式の移動通信システムとしてＴＤＭＡ方式を使用する。
【００２１】
図３Ａを参照すると、マルチフレーム３０１は、ＧＳＭ方式で最も大きい無線伝送単位であり、５１個のフレームからなる。前記フレーム３０２は、８個のタイムスロットＴＳ＃０乃至ＴＳ＃７で構成されている。
【００２２】
図３Ｂを参照すると、ＦＣＣＨは、前記マルチフレーム３０１で、第１フレーム＃０、第１１フレーム＃１０、第２１フレーム＃２０、第３１フレーム＃３０、及び第４１フレーム＃４０のそれぞれを構成する８個のタイムスロットのうち第１タイムスロット３０４で伝送される。ＳＣＨは、前記マルチフレーム３０１で、第２フレーム＃１、第１２フレーム＃１１、第２２フレーム＃２１、第３２フレーム＃３１、及び第４２フレーム＃４１のそれぞれを構成する８個のタイムスロットのうち第１タイムスロット３０５で伝送される。
【００２３】
通常、ＧＳＭ方式の移動通信システムで初期化またはハンドオーバーのための測定のときに、Ｎｏｄｅ ＢとＵＥとの同期のために使用される前記ＦＣＣＨ及び前記ＳＣＨの構造は、図３Ｃに示すようである。
【００２４】
図４は、通常的なＦＤＤ方式の移動通信システムでのフレームの構造と、前記フレームを通じて伝送されるＰ−ＣＣＰＣＨ及びＳＣＨの構造を示す。前記Ｐ−ＣＣＰＣＨ及びＳＣＨは、ＵＥがＦＤＤ方式の移動通信システムから信号を測定するか、またはＦＤＤ方式の移動通信システムを接続するときに始めに受信されるチャンネルである。前記ＦＤＤ方式の移動通信システムの場合には、順方向チャンネル及び逆方向チャンネルが周波数で区分される。図４では、順方向チャンネルとして使用されるフレームの構造を示す。例えば、図４は、Ｐ−ＳＣＨ、Ｓ−ＳＣＨ、及びＰ−ＣＣＰＣＨの伝送例を示している。
【００２５】
前記Ｐ−ＣＣＰＣＨ及び前記ＳＣＨは、前述したＷＢ−ＴＤＤ方式でのＰ−ＣＣＰＣＨ及びＳＣＨと同一の機能を遂行する。しかし、前記ＦＤＤ方式でＳＣＨによって同期及び情報を得る過程は、前記ＷＢ−ＴＤＤ方式でＳＣＨによって同期及び情報を得る過程とは異なる。
【００２６】
図４を参照すると、フレーム４０１は、１０ｍｓで３８，４００チップの長さを有し、１５個のタイムスロットＴＳ＃０乃至ＴＳ＃１４で構成されている。前記タイムスロット４０２は、２，５６０チップの長さ(０．６７ｍｓ)を有する。
【００２７】
前記各タイムスロットの真っ先の２５６チップ区間から伝送されるＰ−ＳＣＨ４０３及びＳ−ＳＣＨ４０４は、前述したＷＢ−ＴＤＤ方式でのＰ−ＳＣＨ及びＳ−ＳＣＨと同一の機能を遂行する。しかし、ＦＤＤ方式でＰ−ＳＣＨ４０３及びＳ−ＳＣＨ４０４によって同期及び情報を得る過程は、前記ＷＢ−ＴＤＤ方式でＰ−ＳＣＨ及びＳ−ＳＣＨによって同期及び情報を得る過程とは異なる。Ｐ−ＳＣＨ４０３は、ＷＢ−ＴＤＤ方式と同様に、ＦＤＤ方式を使用するすべてのＮｏｄｅ Ｂまたはセルで使用される唯一のチャンネルであり、前記１つのフレームに該当する１５個のタイムスロットの間に１５回反復して伝送される。Ｓ−ＳＣＨ４０４はすべて１６種類のコードがあり、前記１６種類のコードのうち、１５個のコードが選択されてタイムスロットごとに伝送される。ＵＥは、Ｐ−ＳＣＨ４０３を通じてＮｏｄｅ Ｂまたはセルとのスロット同期を探し、前記スロット同期を利用してＳ−ＳＣＨ４０４から前記１５個のコードを探す。Ｓ−ＳＣＨ４０４内の前記１５個のコードは、Ｓ−ＳＣＨ４０４の符号配列に従って６４個のコードグループのうち１つのコードグループを探索する。すなわち、前記符号配列は、前記６４個のコードグループのうち１つのコードグループを特定して示すことができる。前記それぞれのコードグループは、Ｎｏｄｅ Ｂを区別するために使用する８個の順方向スクランブリングコードを有している。また、前記符号配列は、１つのフレームを構成するタイムスロットの順序を区別できるようになされているので、ＵＥは、前記符号配列によって前記フレームの境界を判断することができる。 
【００２８】
前記フレームの境界を感知したＵＥは、一次共通パイロットチャンネル(Primary Common Pilot Channel；以下、“Ｐ−ＣＰＩＣＨ”と略称する。)を利用して、前記コードグループの内の８個のスクランブリングコードのうち、現在Ｎｏｄｅ Ｂで使用されているスクランブリングコードを探す。前記Ｐ−ＣＰＩＣＨは、図４には示していないが、Ｎｏｄｅ ＢからＵＥへのチャンネル環境を推定するかまたは電力損失などを測定するために使用されることができる。前記Ｐ−ＣＰＩＣＨは、すべて１であるシーケンスにＮｏｄｅ Ｂで使用する順方向スクランブリングコードが乗じられた信号を伝送する。従って、ＵＥは、前記コードグループの８個のスクランブリングコード及び前記Ｐ−ＣＰＩＣＨを通じて伝送される信号との相関を通じて、前記Ｎｏｄｅ Ｂで使用した順方向スクランブリングコードを獲得するようになる。前記獲得した順方向スクランブリングコードは、前記相関による相関値を計算して最大相関値を有するスクランブリングコードである。前記ＵＥは、前記獲得したスクランブリングコードによってＰ−ＣＣＰＣＨ４０６を分析する。Ｐ−ＣＣＰＣＨ４０６は、前述したＷＢ−ＴＤＤ方式でのＰ−ＣＣＰＣＨと同一の機能を遂行する。Ｐ−ＣＣＰＣＨ４０６は、チャンネル区分用直交符号である長さ２５６のウォルシュコードのうち、すべて１であるウォルシュコードでチャンネル拡散が行われる。従って、Ｐ−ＣＣＰＣＨ４０６を伝送するＮｏｄｅ Ｂのスクランブリングコードを探索したＵＥは、Ｐ−ＣＣＰＣＨ４０６を分析できる。前記チャンネル区分用直交符号は、Ｎｏｄｅ Ｂから前記Ｎｏｄｅ Ｂ領域の内のＵＥへ伝送するチャンネルを区別するために使用されるか、または１つのＵＥからＮｏｄｅ Ｂへ伝送される複数のチャンネルを相互に区別する機能を遂行する。前記チャンネル区分用直交符号は、順方向伝送の場合には長さ４〜５１２の直交符号が使用され、逆方向伝送の場合には、長さ４〜２５６の直交符号が使用される。前記直交符号の長さはデータの拡散率を示し、前記拡散率が大きいデータであるほど大きな拡散利得を有するようになる。また、同一の信号強度で伝送される場合には、拡散率が大きいほどさらによい品質で伝送されることができる。前記Ｐ−ＣＣＰＣＨ４０６は、Ｎｏｄｅ Ｂのシステム情報を含んでいるＢＣＨが伝送されるチャンネルである。従って、ＵＥは、Ｐ−ＣＣＰＣＨ４０６を受信して前記ＢＣＨを復号することによって、現在属しているセルまたはＮｏｄｅ Ｂに対する情報を獲得する。しかし、前記ＢＣＨの復号単位の送信時間間隔(Transport Time Interval；以下、“ＴＴＩ”と略称する。)が２０ｍｓであるので、ＵＥは、自分が属しているＮｏｄｅ ＢまたはセルのＢＣＨに含まれているシステム情報を獲得するためには、２０ｍｓの間にＰ−ＣＣＰＣＨ４０６を受信できなければならない。すなわち、システム情報を獲得するために、２個のフレームの間に伝送されるＰ−ＣＣＰＣＨ４０６を受信しなければならない。
【００２９】
図５は、通常的なinter-frequency測定またはinter-RAT測定が必要な状況を示す。図５において、Ｎｏｄｅ Ｂ５０１は、ＮＢ−ＴＤＤ方式を使用するＮｏｄｅ Ｂであると仮定し、他のＮｏｄｅ Ｂ５０２は、ＮＢ−ＴＤＤ方式を使用するが、前記Ｎｏｄｅ Ｂ５０１で使用する周波数とは異なる周波数を使用し、または前記ＮＢ−ＴＤＤ方式ではない他の通信方式を使用するＮｏｄｅ Ｂであると仮定する。前記他の通信方式は、ＧＳＭ、ＦＤＤ、ＷＢ−ＴＤＤ、ＣＤＭＡ−２０００、及びＩＳ−９５などの第３世代移動通信標準と第２世代移動通信標準などであってもよい。また、ＵＥ５０３は、ＮＢ−ＴＤＤ方式のみならず、他の通信方式による通信が可能であり、Ｎｏｄｅ Ｂ５０１と音声またはパケット信号を送受信する状況でＮｏｄｅ Ｂ５０２に移動していると仮定する。このような状況で、ＵＥ５０３は、ＮＢ−ＴＤＤ方式を支援するＮｏｄｅ Ｂから異なる周波数を使用するＮＢ−ＴＤＤ方式を支援するＮｏｄｅ Ｂへのハンドオーバーのためには、inter-frequency測定が必要である。また、前記ＮＢ−ＴＤＤ方式を支援するＮｏｄｅ Ｂから他の通信方式を支援するＮｏｄｅ Ｂへのハンドオーバーのためには、inter-frequency測定またはinter-RAT測定が必要である。
【００３０】
図５を参照すると、Ｎｏｄｅ Ｂ(以下、“ソースＮｏｄｅ Ｂ”と称する。)５０１と通信している ＵＥ５０３は、Ｎｏｄｅ Ｂ(以下、“ターゲットＮｏｄｅ Ｂ”と称する。)５０２に移動しつつ、ソースＮｏｄｅ Ｂ５０１からinter-frequency測定またはinter-RAT測定命令を受信した後に、ターゲットＮｏｄｅ Ｂ５０２の信号を測定するようになる。ターゲットＮｏｄｅ Ｂ５０２の信号とは、前述した各通信方式の信号を意味する。ソースＮｏｄｅ Ｂ５０１がＵＥ５０３にinter-frequency測定命令またはinter-RAT測定命令を伝送する場合には、ＵＥ５０３は、ソースＮｏｄｅ Ｂ５０１が使用する周波数帯域でＮＢ−ＴＤＤ方式を支援する他のＮｏｄｅ Ｂの信号測定結果に対して報告した後に、ソースＮｏｄｅ Ｂ５０１は、ＵＥ５０３がハンドオーバーするには、信号強度が不足であると判断するか、または前記ＵＥ５０３とソースＮｏｄｅ Ｂ５０１との間の信号強度が徐々に弱くなると判断する。
【００３１】
ＵＥ５０３は、ターゲットＮｏｄｅ Ｂ５０２からの信号に対する測定を通じてターゲットＮｏｄｅ Ｂ５０２との同期及びシステム情報を獲得した後に、測定結果をソースＮｏｄｅ Ｂ５０１に伝送する。前記測定結果に基づいたソースＮｏｄｅ Ｂ５０１の命令に応じて、ＵＥ５０３は、ターゲットＮｏｄｅ Ｂ５０２へのハンドオーバーを通じて現在遂行中の通信を持続する。
【００３２】
以上では、ＵＥ５０３がソースＮｏｄｅ Ｂ５０１との呼が設定されて、前記呼を通じてinter-frequency測定命令またはinter-RAT測定命令を受信した場合の動作を説明する。しかし、ＵＥ５０３とソースＮｏｄｅ Ｂ５０１との呼が設定されていない状況でも、ＵＥ５０３は、Ｐ−ＣＣＰＣＨを通じて伝送されるＢＣＨに対するシステム情報に含まれている前記inter-frequency測定またはinter-RAT測定に必要な情報を利用して、前記inter-frequencyまたはinter-RAT測定を遂行することもできる。また、ソースＮｏｄｅ Ｂ５０１がターゲットＮｏｄｅ Ｂ５０２で使用する通信方式に対する情報を有していると、ソースＮｏｄｅ Ｂ５０１は、ＵＥ５０３がinter-frequency測定またはinter-RAT測定を開始する前に予め通報するか、ソースＮｏｄｅ Ｂ５０１がＵＥ５０３に周辺Ｎｏｄｅ Ｂが使用する通信方式に対して予め通報すると、ＵＥ５０３は、周辺Ｎｏｄｅ Ｂのシステム情報及び同期信号を容易に獲得することができる。
【００３３】
図６は、通常的なＮＢ−ＴＤＤ方式を支援するＮｏｄｅ Ｂとの通信を遂行しているＵＥでinter-frequency測定またはinter-RAT測定が可能な区間を示す。
図６を参照すると、参照番号６０１は、ＵＥとＮｏｄｅ Ｂとの間のｉ番目サブフレームを示し、前記ＵＥは、ｉ番目サブフレームを構成する７個のタイムスロットのうち第２タイムスロット６０３が逆方向送信を遂行し、第５タイムスロット６０４が逆方向受信を遂行する。一方、前記ＵＥは、前記逆方向送信及び順方向送信が行われない残りのタイムスロットの区間でinter-frequency測定またはinter-RAT測定を遂行する。図６において、前記ＵＥは、連続した２個のサブフレームで参照番号６０５、６０６、６０７、及び６０８に示される区間で、inter-frequency測定またはinter-RAT測定を遂行することができる。しかし、前記ＵＥが実際にinter-frequency測定及びinter-RAT測定を遂行できる区間では、inter-frequency信号及びinter-RAT信号が伝送される帯域に移動するのに所要される無線周波数転換時間(Radio Frequency Transition Time)及び元来の周波数帯域にさらに戻るのに必要とされる無線周波数転換時間を考慮しなければならない。
【００３４】
一方、前記inter-frequency測定及びinter-RAT測定を容易に遂行し、測定結果の信頼度を高めるためには、前記ＵＥがinter-frequency測定またはinter-RAT測定を実際に遂行する区間を長くすることが効率的である。
前述したように、inter-frequency測定またはinter-RAT測定を遂行することができる区間の長さは、逆方向タイムスロット及び順方向タイムスロットの位置によって決定される。すなわち、前記逆方向タイムスロット及び前記順方向タイムスロットの位置に従って前記測定区間が長くなることもでき、短くなることもできる。
【００３５】
従って、前記ＵＥがinter-frequency測定またはinter-RAT測定を遂行する区間が実際に短い場合には、前記ＵＥは、正常的なinter-frequency測定またはinter-RAT測定を遂行することができない。また、前記ＵＥがＦＤＤ方式によって伝送されるＳ−ＳＣＨ及びＰ−ＣＣＰＣＨを測定する場合には、前記ＵＥは、Ｓ−ＳＣＨ及びＰ−ＣＣＰＣＨを通じて伝送されるＢＣＨの内容を正しく復号することができない。言い換えれば、ＮＢ−ＴＤＤ方式及びＦＤＤ方式での基本伝送単位が１０ｍｓのフレームであるので、前記ＮＢ−ＴＤＤ方式でのタイミングとＦＤＤ方式でのタイミングとは、一定のタイムオフセットを有する。従って、前記ＵＥが一定の位置でＳ−ＳＣＨ及びＰ−ＣＣＰＣＨを測定するので、前記ＵＥは、Ｓ−ＳＣＨ及びＰ−ＣＣＰＣＨを通じて伝送されるＢＣＨを正確に測定することができない。これは、通常的な分析の場合に、前記Ｓ−ＳＣＨは、１０ｍｓ長さを有する信号を受信すべきであり、Ｐ−ＣＣＰＣＨは、２０ｍｓ長さを有する信号を受信すべきであるからである。
【発明の開示】
【発明が解決しようとする課題】
【００３６】
上記背景に鑑みて、本発明の目的は、第一に、ＮＢ−ＴＤＤ方式の移動通信システムにおいて、逆方向及び順方向伝送チャンネルのチャンネル割当て位置を変更することができる装置及び方法を提供することにある。
第二に、ＮＢ−ＴＤＤ方式の移動通信システムにおいて、逆方向及び順方向伝送チャンネルのチャンネル割当て位置を変更して周波数が異なるinter-frequency信号を測定することができる装置及び方法を提供することにある。
第三に、ＮＢ−ＴＤＤ方式の移動通信システムにおいて、逆方向及び順方向伝送チャンネルのチャンネル割当て位置を変更してＮＢ−ＴＤＤ方式を使用しない他のシステムとのインタシステム(inter-system)信号を測定することができる装置及び方法を提供することにある。
第四に、ＮＢ−ＴＤＤ方式の移動通信システムにおいて、逆方向及び順方向伝送チャンネルのチャンネル割当て位置を変更することができるシグナリング方法を提供することにある。
第五に、時分割方法を使用して逆方向及び順方向の伝送を区別する通信方式で、ＵＥが送受信を遂行しない区間を利用してinter-frequency測定またはinter-RAT測定を遂行することができる装置及び方法を提供することにある。
第六に、ＮＢ−ＴＤＤシステムにおいて、inter-frequency測定、及びinter-frequency測定またはinter-RAT測定のための測定区間の長さを増加させて測定区間の位置を変化させることによって、前記inter-frequency測定またはinter-RAT測定を効率的に遂行することができる装置及び方法を提供することにある。
第七に、前記inter-frequency測定またはinter-RAT測定を効率的に遂行するために、前記inter-frequency信号及びinter-RAT信号を測定するＵＥの逆方向及び順方向チャンネルの伝送位置を変化させる方法を提供することにある。
第八に、ＮＢ−ＴＤＤシステムで現在ＵＥが使用している周波数帯域と異なる周波数帯域を使用するＮＢ−ＴＤＤシステムの信号をモニタリングするinter-frequency測定またはinter-RAT測定のための区間を最大に長くして順方向タイムスロット及び逆方向タイムスロットの位置を変更させることによって、測定性能及び信頼度を高めることができる装置及び方法を提供することにある。
第九に、ＮＢ−ＴＤＤシステムで使用する通信方式とは異なる通信方式を使用するシステムの信号をモニタリングするinter-frequency測定またはinter-RAT測定のための区間を最大に長くして順方向タイムスロット及び逆方向タイムスロットの位置を変更させることによって、測定性能及び信頼度を高めることができる装置及び方法を提供することにある。
第十に、inter-frequency測定区間またはinter-RAT測定区間を最大に長くするために、ＵＥ及び前記ＵＥが属しているＮｏｄｅ Ｂの他のＵＥのチャンネルを再び割り当てる装置及び方法を提供することにある。
第十一に、inter-frequency測定区間またはinter-RAT測定区間の位置を変更させるために、inter-frequency測定またはinter-RAT測定のための所定のパターン情報をＮｏｄｅ ＢとＵＥが予め約束することにより、inter-frequency測定またはinter-RAT測定が要求されるか、必要に応じて、前記所定のパターン情報を示すインデックス情報に基づいて、inter-frequency測定またはinter-RAT測定を遂行することができる装置及び方法を提供することにある。
【課題を解決するための手段】
【００３７】
このような目的を達成するために、本発明によれば、第１Ｎｏｄｅ Ｂと、前記第１Ｎｏｄｅ Ｂに隣接した第２Ｎｏｄｅ Ｂと、前記第１Ｎｏｄｅ Ｂによって占有されるセル内のＵＥを含み、前記第１Ｎｏｄｅ Ｂ及び前記ＵＥは、複数の時間区間を有するフレームを通じて時分割デュプレキシングＣＤＭＡ通信方式を使用し、前記フレームの内の前記複数の時間区間のうち、少なくとも１つの時間区間を通じて前記第１Ｎｏｄｅ Ｂから前記ＵＥに順方向チャンネルが伝送され、前記複数の時間区間のうち、前記順方向チャンネルが伝送される前記少なくとも１つの時間区間を除外した残りの時間区間のうち、少なくとも１つの時間区間を通じて前記ＵＥから前記第１Ｎｏｄｅ Ｂへ逆方向チャンネルが伝送され、前記ＵＥ及び前記第２Ｎｏｄｅ Ｂは、前記時分割デュプレキシングＣＤＭＡ通信方式と異なる周波数帯域を使用する時分割通信方式によって通信でき、前記第２Ｎｏｄｅ Ｂから前記ＵＥに複数の時間区間のうち、少なくとも１つの時間区間を通じて前記第２Ｎｏｄｅ Ｂ及び前記ＵＥの同期化のための同期信号と第２Ｎｏｄｅ Ｂの情報を示す制御チャンネルを順方向伝送するシステムにおいて、前記ＵＥが前記第２Ｎｏｄｅ Ｂから前記制御チャンネル上の前記同期信号と前記第２Ｎｏｄｅ Ｂの情報を測定する方法において、前記第１Ｎｏｄｅ Ｂから前記ＵＥへ前記順方向チャンネルが伝送される前記順方向時間区間の位置及び前記ＵＥから前記第１Ｎｏｄｅ Ｂへ逆方向チャンネルが伝送される前記逆方向時間区間の位置を以前のサブフレーム及び次のサブフレームまたはフレームの内で変更して、前記第２Ｎｏｄｅ Ｂから前記ＵＥへ伝送される前記制御チャンネルの前記時間区間が位置するようにすることを特徴とする。
【００３８】
また、本発明によれば、第１Ｎｏｄｅ Ｂと、前記第１Ｎｏｄｅ Ｂに隣接した第２Ｎｏｄｅ Ｂと、前記第１Ｎｏｄｅ Ｂによって占有されるセル内のＵＥを含み、前記第１Ｎｏｄｅ Ｂ及び前記ＵＥは、複数の時間区間を有するフレームを通じて時分割デュプレキシングＣＤＭＡ通信方式を使用し、前記フレームの内の前記複数の時間区間のうち、少なくとも１つの時間区間を通じて前記第１Ｎｏｄｅ Ｂから前記ＵＥに順方向チャンネルが伝送され、前記複数の時間区間のうち、前記順方向チャンネルが伝送される前記少なくとも１つの時間区間を除外した残りの時間区間のうち、少なくとも１つの時間区間を通じて前記ＵＥから前記第１Ｎｏｄｅ Ｂへ逆方向チャンネルが伝送され、前記ＵＥ及び前記第２Ｎｏｄｅ Ｂは、前記時分割デュプレキシングＣＤＭＡ通信方式と異なる通信方式によって通信でき、前記第２Ｎｏｄｅ Ｂから前記ＵＥへ伝送される少なくとも１つの所定の順方向チャンネルを通じて、前記第２Ｎｏｄｅ Ｂ及び前記ＵＥの同期化のための同期信号と第２Ｎｏｄｅ Ｂの情報を示す制御チャンネルを順方向伝送するシステムで、前記ＵＥが前記第２Ｎｏｄｅ Ｂから前記制御チャンネル上の前記同期信号及び前記第２Ｎｏｄｅ Ｂの情報を測定する方法において、前記第１Ｎｏｄｅ Ｂから前記ＵＥへ前記順方向チャンネルが伝送される前記時間区間の位置及び前記ＵＥから前記第１Ｎｏｄｅ Ｂへ逆方向チャンネルが伝送される前記時間区間の位置を以前のサブフレーム及び次のサブフレームまたはフレームの内で変更して前記第２Ｎｏｄｅ Ｂから前記ＵＥへ伝送される前記制御チャンネルの前記時間区間が位置するようにすることを特徴とする。
【００３９】
さらに、本発明によれば、第１Ｎｏｄｅ Ｂと、前記第１Ｎｏｄｅ Ｂに隣接した第２Ｎｏｄｅ Ｂと、前記第１Ｎｏｄｅ Ｂを管理する無線網制御部と、前記第１Ｎｏｄｅ Ｂによって占有されるセル内のＵＥを含み、前記第１Ｎｏｄｅ Ｂ及び前記ＵＥは、複数の時間区間を有するフレームを通じて時分割デュプレキシングＣＤＭＡ通信方式を使用し、前記フレームの内の前記複数の時間区間のうち、少なくとも１つの時間区間を通じて前記第１Ｎｏｄｅ Ｂから前記ＵＥへ順方向チャンネルが伝送され、前記複数の時間区間のうち、前記順方向チャンネルが伝送される前記少なくとも１つの時間区間を除外した残りの時間区間のうち、少なくとも１つの時間区間を通じて前記ＵＥから前記第１Ｎｏｄｅ Ｂへ逆方向チャンネルが伝送され、前記ＵＥ及び前記第２Ｎｏｄｅ Ｂは、前記時分割デュプレキシングＣＤＭＡ通信方式と異なる周波数帯域または異なる通信方式によって通信でき、前記第２Ｎｏｄｅ Ｂから前記ＵＥへ伝送される少なくとも１つの順方向チャンネルを通じて前記第２Ｎｏｄｅ Ｂ及び前記ＵＥの同期化のための同期信号と第２Ｎｏｄｅ Ｂの情報を示す制御チャンネルを順方向伝送するシステムで、前記ＵＥが前記第２Ｎｏｄｅ Ｂから前記制御チャンネル上の前記同期信号と前記第２Ｎｏｄｅ Ｂの情報を測定する方法において、前記無線網制御部で前記同期信号及び前記第２Ｎｏｄｅ Ｂの情報の測定が可能なすべてのパラメータを決定して、無線リンクの設定のときに前記第１Ｎｏｄｅ Ｂへ伝送し、無線ベアラーの設定のときに前記ＵＥへ伝送する過程と、前記無線網制御部で前記同期信号及び前記第２Ｎｏｄｅ Ｂの情報の測定が必要であると認知すると、前記同期信号及び前記第２Ｎｏｄｅ Ｂの情報を測定するためのパラメータ選択情報を前記第１Ｎｏｄｅ Ｂ及び前記ＵＥへ伝送する過程と、前記第１Ｎｏｄｅ Ｂ及び前記ＵＥは、前記すべてのパラメータのうち、前記パラメータ選択情報に基づいて選択されたパラメータによって、前記第１Ｎｏｄｅ Ｂから前記ＵＥへ前記順方向チャンネルが伝送される順方向時間区間の位置及び前記ＵＥから前記第１Ｎｏｄｅ Ｂへ逆方向チャンネルが伝送される逆方向時間区間の位置を変更する過程と、前記ＵＥが前記複数の時間区間のうち、前記変更された順方向時間区間及び前記変更された逆方向時間区間を除外した残りの時間区間で、前記第２Ｎｏｄｅ Ｂから伝送される前記同期信号及び前記第２Ｎｏｄｅ Ｂの情報を受信する過程と、を備えることを特徴とする。
【００４０】
さらに、本発明によれば、第１Ｎｏｄｅ Ｂと、前記第１Ｎｏｄｅ Ｂに隣接した第２Ｎｏｄｅ Ｂと、前記第１Ｎｏｄｅ Ｂを管理する無線網制御部と、前記第１Ｎｏｄｅ Ｂによって占有されるセル内のＵＥを含み、前記第１Ｎｏｄｅ Ｂ及び前記ＵＥは、複数の時間区間を有するフレームを通じて時分割デュプレキシングＣＤＭＡ通信方式を使用し、前記フレームの内の前記複数の時間区間のうち、少なくとも１つの時間区間を通じて前記第１Ｎｏｄｅ Ｂから前記ＵＥへ順方向チャンネルが伝送され、前記複数の時間区間のうち、前記順方向チャンネルが伝送される前記少なくとも１つの時間区間を除外した残りの時間区間のうち、少なくとも１つの時間区間を通じて前記ＵＥから前記第１Ｎｏｄｅ Ｂへ逆方向チャンネルが伝送され、前記ＵＥ及び前記第２Ｎｏｄｅ Ｂは、前記時分割デュプレキシングＣＤＭＡ通信方式と異なる周波数帯域または異なる通信方式によって通信でき、前記第２Ｎｏｄｅ Ｂから前記ＵＥへ伝送される少なくとも１つの順方向チャンネルを通じて前記第２Ｎｏｄｅ Ｂ及び前記ＵＥの同期化のための同期信号と第２Ｎｏｄｅ Ｂの情報を示す制御チャンネルを順方向伝送するシステムで、前記ＵＥが前記第２Ｎｏｄｅ Ｂから前記制御チャンネル上の前記同期信号と前記第２Ｎｏｄｅ Ｂの情報を測定する方法において、前記無線網制御部で前記同期信号及び前記第２Ｎｏｄｅ Ｂの情報の測定が可能なすべてのパラメータを決定し、前記無線網制御部が前記ＵＥでの前記同期信号及び前記第２Ｎｏｄｅ Ｂの情報の測定が必要であると認知すると、前記すべてのパラメータのうちいずれか１つのパラメータを前記第１Ｎｏｄｅ Ｂ及び前記ＵＥへ伝送する過程と、前記第１Ｎｏｄｅ Ｂ及び前記ＵＥは、前記無線網制御部が選択したパラメータによって、前記第１Ｎｏｄｅ Ｂから前記ＵＥへ前記順方向チャンネルが伝送される順方向時間区間の位置及び前記ＵＥから前記第１Ｎｏｄｅ Ｂへ逆方向チャンネルが伝送される逆方向時間区間の位置を変更する過程と、前記ＵＥが前記複数の時間区間のうち、前記変更された順方向時間区間及び前記変更された逆方向時間区間を除外した残りの時間区間で、前記第２Ｎｏｄｅ Ｂから伝送される前記同期信号及び前記第２Ｎｏｄｅ Ｂの情報を受信する過程と、を備えることを特徴とする。
【００４１】
なお、本発明によれば、第１Ｎｏｄｅ Ｂと、前記第１Ｎｏｄｅ Ｂに隣接した第２Ｎｏｄｅ Ｂと、前記第１Ｎｏｄｅ Ｂを管理する無線網制御部と、前記第１Ｎｏｄｅ Ｂによって占有されるセル内のＵＥを含み、前記第１Ｎｏｄｅ Ｂ及び前記ＵＥは、複数の時間区間を有するフレームを通じて時分割デュプレキシングＣＤＭＡ通信方式を使用し、前記フレームの内の前記複数の時間区間のうち、少なくとも１つの時間区間を通じて前記第１Ｎｏｄｅ Ｂから前記ＵＥへ順方向チャンネルが伝送され、前記複数の時間区間のうち、前記順方向チャンネルが伝送される前記少なくとも１つの時間区間を除外した残りの時間区間のうち、少なくとも１つの時間区間を通じて前記ＵＥから前記第１Ｎｏｄｅ Ｂへ逆方向チャンネルが伝送され、前記ＵＥ及び前記第２Ｎｏｄｅ Ｂは、前記時分割デュプレキシングＣＤＭＡ通信方式と異なる周波数帯域または異なる通信方式によって通信でき、前記第２Ｎｏｄｅ Ｂから前記ＵＥへ伝送される少なくとも１つの順方向チャンネルを通じて前記第２Ｎｏｄｅ Ｂ及び前記ＵＥの同期化のための同期信号と第２Ｎｏｄｅ Ｂの情報を示す制御チャンネルを順方向伝送するシステムで、前記ＵＥが前記第２Ｎｏｄｅ Ｂから前記制御チャンネル上の前記同期信号及び前記第２Ｎｏｄｅ Ｂの情報を測定する装置において、前記同期信号及び前記第２Ｎｏｄｅ Ｂの情報の測定が可能なすべてのパラメータを決定して、無線リンクの設定のときに前記第１Ｎｏｄｅ Ｂへ伝送し、無線ベアラーの設定のときに前記ＵＥへ伝送し、前記同期信号及び前記第２Ｎｏｄｅ Ｂの情報の測定が必要であると認知すると、前記同期信号及び前記第２Ｎｏｄｅ Ｂの情報を測定するためのパラメータ選択情報を前記第１Ｎｏｄｅ Ｂ及び前記ＵＥへ伝送する無線網制御部と、前記すべてのパラメータのうち、前記パラメータ選択情報に基づいて選択されたパラメータによって、前記第１Ｎｏｄｅ Ｂから前記ＵＥへ前記順方向チャンネルが伝送される順方向時間区間の位置及び前記ＵＥから前記第１Ｎｏｄｅ Ｂへ逆方向チャンネルが伝送される逆方向時間区間の位置を変更する前記第１Ｎｏｄｅ Ｂと、前記すべてのパラメータのうち、前記パラメータ選択情報に基づいて選択されたパラメータによって、前記第１Ｎｏｄｅ Ｂから前記ＵＥへ前記順方向チャンネルが伝送される順方向時間区間の位置及び前記ＵＥから前記第１Ｎｏｄｅ Ｂへ逆方向チャンネルが伝送される逆方向時間区間の位置を変更し、前記複数の時間区間のうち、前記変更された順方向時間区間及び前記変更された逆方向時間区間を除外した残りの時間区間で、前記第２Ｎｏｄｅ Ｂから伝送される前記同期信号及び前記第２Ｎｏｄｅ Ｂの情報を受信するＵＥと、を備えることを特徴とする。
【００４２】
なお、本発明によれば、第１Ｎｏｄｅ Ｂと、前記第１Ｎｏｄｅ Ｂに隣接した第２Ｎｏｄｅ Ｂと、前記第１Ｎｏｄｅ Ｂを管理する無線網制御部と、前記第１Ｎｏｄｅ Ｂによって占有されるセル内のＵＥを含み、前記第１Ｎｏｄｅ Ｂ及び前記ＵＥは、複数の時間区間を有するフレームを通じて時分割デュプレキシングＣＤＭＡ通信方式を使用し、前記フレームの内の前記複数の時間区間のうち、少なくとも１つの時間区間を通じて前記第１Ｎｏｄｅ Ｂから前記ＵＥへ順方向チャンネルが伝送され、前記複数の時間区間のうち、前記順方向チャンネルが伝送される前記少なくとも１つの時間区間を除外した残りの時間区間のうち、少なくとも１つの時間区間を通じて前記ＵＥから前記第１Ｎｏｄｅ Ｂへ逆方向チャンネルが伝送され、前記ＵＥ及び前記第２Ｎｏｄｅ Ｂは、前記時分割デュプレキシングＣＤＭＡ通信方式と異なる周波数帯域または異なる通信方式によって通信でき、前記第２Ｎｏｄｅ Ｂから前記ＵＥへ伝送される少なくとも１つの順方向チャンネルを通じて前記第２Ｎｏｄｅ Ｂと同期化のための同期信号及び第２Ｎｏｄｅ Ｂの情報を示す制御チャンネルを順方向伝送するシステムで、前記ＵＥが前記第２Ｎｏｄｅ Ｂから前記制御チャンネル上の前記同期信号及び前記第２Ｎｏｄｅ Ｂの情報を測定する装置において、前記同期信号及び前記第２Ｎｏｄｅ Ｂの情報の測定が可能なすべてのパラメータを決定し、前記ＵＥでの前記同期信号及び前記第２Ｎｏｄｅ Ｂの情報の測定が必要であると認知すると、前記すべてのパラメータのうちいずれか１つのパラメータを前記第１Ｎｏｄｅ Ｂ及び前記ＵＥへ伝送する前記無線網制御部と、前記無線網制御部が選択したパラメータによって、前記第１Ｎｏｄｅ Ｂから前記ＵＥへ前記順方向チャンネルが伝送される順方向時間区間の位置及び前記ＵＥから前記第１Ｎｏｄｅ Ｂへ逆方向チャンネルが伝送される逆方向時間区間の位置を変更する前記第１Ｎｏｄｅ Ｂと、前記無線網制御部が選択したパラメータによって、前記第１Ｎｏｄｅ Ｂから前記ＵＥへ前記順方向チャンネルが伝送される順方向時間区間の位置及び前記ＵＥから前記第１Ｎｏｄｅ Ｂへ逆方向チャンネルが伝送される逆方向時間区間の位置を変更し、前記複数の時間区間のうち、前記変更された順方向時間区間及び前記変更された逆方向時間区間を除外した残りの時間区間で、前記第２Ｎｏｄｅ Ｂから伝送される前記同期信号及び前記第２Ｎｏｄｅ Ｂの情報を受信する前記ＵＥと、を備えることを特徴とする。
【発明の効果】
【００４３】
本発明は、inter-frequencyまたはinter-RAT測定のために、ＵＥが既存に使用したタイムスロットのようなリソースをinter-frequencyまたはinter-RAT測定区間で変更して、inter-frequencyまたはinter-RAT測定区間を十分に活用できるようにする。特に、本発明は、ＦＤＤシステムに対する測定のために、inter-RAT測定区間を変化させる複数の可能な方法を一つ以上使用し、また、前記可能な方法を実現するために、ＳＲＮＣ、Ｎｏｄｅ Ｂ、及びＵＥの間のシグナリング方法を提供して、ＵＥがinter-RAT測定性能を高めることができるようにする。そして、前記inter-RAT測定性能の向上は、inter-RAT間のハンドオーバーにおいてさらに正確でかつ柔軟な効果を得ることができる。
【発明を実施するための最良の形態】
【００４４】
以下、本発明の好適な一実施形態について添付図を参照しつつ詳細に説明する。下記の説明において、本発明の要旨のみを明瞭にする目的で、関連した公知機能又は構成に対する詳細な説明は省略する。
【００４５】
まず、本発明で提示する方法を説明するために使用されるパラメータを定義すると、次のようである。
測定区間開始時点(Measurement Period Starting Point；  以下、“ＭＰＳＰ”と略称する。) : inter-frequency測定またはinter-RAT測定の開始時点を示す。
測定区間(Measurement Period；以下、“ＭＰ”と略称する。)；  inter-frequency測定またはinter-RAT測定のために、ＵＥとＮｏｄｅ Ｂとの間の逆方向及び順方向伝送チャンネルの位置を変更する区間、及びＭＰの数がｎであることを示す。
測定区間間隔(Measurement Period Interval；以下、“ＭＰＩ”と略称する。)；  隣接したＭＰ間の間隔を示す。
測定区間数列(Measurement Period Sequence；以下、“ＭＰＳ”と略称する。)；  ｎ個のＭＰ及びｋ個のＭＰＩからなるinter-frequency測定及びinter-RAT測定のためのシーケンスであることを示す。
測定区間数列反復回数(MPS Repetition Number；以下、“ＭＰＳＲＮ”と略称する。)；  inter-frequency測定またはinter-RAT測定のためのＭＰＳの反復回数を示し、１〜Ｍの正数で表現される。 
【００４６】
以下、本発明の好適な実施例を添付図を参照して詳細に説明する。
図２１は、前記で定義されたパラメータＭＰＳＰ、ＭＰ、ＭＰＩ、ＭＰＳ、及びＭＰＲＳＮを詳細に説明する。 
図２１を参照すると、ＭＰＳＰ２１０１は、ＵＥのinter-frequency測定またはinter-RAT測定の開始時点を示し、ＮＢ−ＴＤＤＮｏｄｅ Ｂでの伝送フレームの伝送手順を区別するために使用するシステムフレーム番号(System Frame Number；以下、“ＳＦＮ”と略称する。)またはシステムサブフレーム番号(System sub-frame number；以下、“Ｓ−ＳＦＮ”と略称する。)またはＮｏｄｅ ＢとＵＥとの間のフレームの伝送順序を区別するために使用する連結フレーム番号(Connection Frame Number；以下、“ＣＦＮ”と略称する。)を使用して決定されることができる値である。ＮＢ−ＴＤＤ通信システムにおいて、前記ＳＦＮは、０〜４，０９５の値を有し、Ｎｏｄｅ Ｂは、ＵＥとの特定の動作を遂行する場合に、前記ＵＥに前記ＳＦＮを利用して特定の動作の開始時点または終了時点を通報する。前記Ｓ−ＳＦＮは、ＮＢ−ＴＤＤ通信システムで使用するサブフレームと関連した値であり、０〜８，１９５の値を有し、前記ＳＦＮの機能と同一である。前記ＣＦＮは、Ｎｏｄｅ ＢとＵＥとの間の呼が設定されている場合に、逆方向及び順方向無線伝送フレームの伝送順序を区別するために使用され、１つのＮｏｄｅ Ｂの内で共通的に使用されるＳＦＮまたはＳ−ＳＦＮとは異なり、Ｎｏｄｅ Ｂと１つのＵＥとの間のそれぞれに設定される値である。前記ＣＦＮの範囲は０〜２５５である。Ｎｏｄｅ Ｂは、前記ＳＦＮ、Ｓ−ＳＦＮ、及びＣＦＮの値のうちいずれを利用しても、inter-frequencyまたはinter-RAT測定を遂行しようとするＵＥに前記測定区間開始時点を通報することができる。 
【００４７】
ＭＰ＃１ ２１０２、ＭＰ＃２ ２１０４、．．．、ＭＰ＃ｎ ２１０６は、実際にＵＥがinter-frequency信号またはinter-RAT信号を測定する区間を示す。前記ＭＰ＃１ ２１０２、ＭＰ＃２ ２１０４、．．．、ＭＰ＃ｎ ２１０６は、相互に異なる長さを有することができ、各ＭＰの長さは、前記inter-frequency測定またはinter-RAT測定を遂行するＵＥの測定項目及び前記ＵＥと呼が設定されているＮｏｄｅ Ｂの内の順方向チャンネル及び逆方向チャンネルの使用量に従って決定されることができる。前記ＭＰの最も小さい単位はサブフレームになることができ、前記ＭＰの最も大きい単位は、数個のフレームになることができる。
【００４８】
前記ＭＰに対する例は、図７乃至図１０に示されている。図７乃至図１０に提示された例は、ＭＰが１０ｍｓフレームである場合であり、Ｎｏｄｅ Ｂ及びＵＥは、図７乃至図１０に示している構造のフレームを利用して通信を遂行していると仮定する。すなわち、順方向タイムスロットの配置及び逆方向タイムスロットの配置は、Ｎｏｄｅ Ｂの内の逆方向及び順方向伝送データの量を考慮して設定されることができる。しかし、下記説明では、図７乃至図１０に示すように、Ｎｏｄｅ Ｂの内の逆方向及び順方向タイムスロットが配置されていると仮定する。また、前記ＵＥが現在通信している周波数をｆ１であると仮定し、前記ＵＥが測定しようとするinter-RAT信号の周波数をｆ２であると仮定する。
【００４９】
図７は、inter-RAT測定区間を広めることができるＭＰの一例を示す。本発明の説明の便宜上、ＵＥは、上向き矢印で表示されている逆方向タイムスロットのうち任意の１つの逆方向タイムスロットを利用して逆方向伝送を遂行し、下向き矢印で表示されている順方向タイムスロットのうち任意の１つの順方向タイムスロットを利用して順方向伝送を遂行する。また、前記ＵＥが使用する逆方向及び順方向タイムスロットでそれぞれ１つのチャンネル区分用直交符号を使用して通信を遂行していると仮定する。
【００５０】
参照番号７０１は、任意のフレームを構成する第１サブフレームを示し、参照番号７０２は、任意のフレームを構成する第２タイムスロットを示す。サブフレーム７０１及びサブフレーム７０２で構成される１つのフレームでinter-RAT測定を遂行すべき場合に、サブフレーム７０１及びサブフレーム７０２の構造で可能な最大の長さを有する測定区間を確保するためには、サブフレーム７０１の順方向タイムスロット７１０及び逆方向タイムスロット７１１、サブフレーム７０２の逆方向タイムスロット７１２及び順方向タイムスロット７１３にinter-frequency測定またはinter-RAT測定を遂行しようとするＵＥの逆方向及び順方向チャンネルを割り当てることが望ましい。前記逆方向及び順方向チャンネルの割当ての長所は、前記ＵＥが現在通信している周波数ｆ１から測定しようとする周波数ｆ２に遷移するとき発生する周波数遷移の回数を減らすことにより、実際に測定することができる区間を拡張することにある。前記inter-frequency測定またはinter-RAT測定を遂行しようとするＵＥの逆方向及び順方向チャンネルがサブフレーム７０１及びサブフレーム７０２の内に任意のタイムスロットにランダムに分散されていると、前記ＵＥは、inter-frequency測定またはinter-RAT測定を遂行するために、周波数ｆ１とｆ２を頻繁に移動し、従って、実際に測定することができる測定区間の長さを減少させる。
【００５１】
inter-frequency測定またはinter-RAT測定を遂行するための区間である測定区間７０３の１つのフレームを基準にするとき、ＤｗＰＴＳ、ＧＰ、及び、ＵｐＰＴＳの周期を含む連続される少なくとも８個のタイムスロットの区間を提供することができる。すなわち、前記inter-RAT測定は、サブフレーム７０１で前記ＵＥの逆方向チャンネルが割り当てられたタイムスロット７１１からサブフレーム７０１の終わりのタイムスロットまでの５つのタイムスロット区間で遂行されることができる。また、サブフレーム７０１に連続するサブフレーム７０２を考慮すれば、サブフレーム７０２の第１タイムスロットから前記ＵＥの逆方向チャンネルが割り当てられたタイムスロット７１２の以前のタイムスロットまでの３つのタイムスロット区間及びＤｗＰＴＳ、ＵｐＰＴＳ、及びＧＰ区間が前記inter-frequency測定またはinter-RAT測定が可能な区間として追加されることができる。
【００５２】
従って、測定区間７０３は、７個のタイムスロット区間と第２サブフレーム７０２の第１タイムスロットと第２タイムスロットとの間に存在する前記ＤｗＰＴＳ、ＵｐＰＴＳ、及びＧＰ区間とを含む長さを有し、測定区間７０４は、タイムスロット７１３の以後の２個のタイムスロットを含む。従来のチャンネル割当て方法でまれに発生する測定区間７０３は、非常に長く、inter-frequency測定またはinter-RAT測定の性能を高めることができる。
【００５３】
また、図７に示しているＭＰを構成するために、Ｎｏｄｅ Ｂは、inter-frequency測定またはinter-RAT測定を遂行しようとするＵＥの順方向チャンネル割当てのためのタイムスロット７１０及びタイムスロット７１３の所定のチャンネル区分用直交符号を予約しておき、その後に、前記測定が必要なＵＥに優先的に割り当てるか、または前記測定が必要なＵＥに前記予約されているチャンネル区分用直交符号を再び割り当てることができる。また、Ｎｏｄｅ Ｂは、inter-frequency測定またはinter-RAT測定を遂行しようとするＵＥの逆方向チャンネル割当てのためのタイムスロット７１１及びタイムスロット７１２の所定のチャンネル区分用直交符号を予約しておき、その後に、前記測定が必要なＵＥに優先的に割り当てるか、前記測定が必要なＵＥに前記予約されているチャンネル区分用直交符号を再び割り当てることができる。従って、前記inter-frequency測定またはinter-RAT測定を遂行しないＵＥは、タイムスロット７１０、タイムスロット７１１、タイムスロット７１２、及びタイムスロット７１３以外の他のタイムスロットが逆方向及び順方向伝送のために優先的に割り当てられるか、または前記inter-frequency測定またはinter-RAT測定を遂行しないＵＥのうち、タイムスロット７１０、タイムスロット７１１、タイムスロット７１２、及びタイムスロット７１３を利用して逆方向及び順方向伝送を遂行するＵＥが存在すれば、前記ＵＥは、逆方向及び順方向伝送のために、タイムスロット７１０、タイムスロット７１１、タイムスロット７１２、及びタイムスロット７１３以外のタイムスロットを再び割り当てる。
【００５４】
図８は、図２１で説明されたＭＰの他の例を示す。図７との差異点は、スイッチングポイントを基準にして両方に位置するＤＬタイムスロット８１１、ＤＬタイムスロット８１３、ＵＬタイムスロット８１０、及びＵＬタイムスロット８１２のそれぞれに対応して所定数のＤＬチャンネルコードと所定数のＵＬチャンネルコードを予約することである。従って、前記周波数ｆ１を利用してトラヒック送受信を遂行するＮｏｄｅ ＢとＵＥが前記周波数ｆ２を利用して伝送される信号を測定する必要があるときに、前記予約されたＤＬチャンネルコードのうち１つのＤＬチャンネルコードと前記予約されたＵＬチャンネルコードのうち１つのＵＬチャンネルコードが再び割り当てられる。しかし、各サブフレームのタイムスロット＃０は、Ｐ−ＣＣＰＣＨまたは他の順方向共通チャンネルが主に使用するタイムスロットであるので、inter-frequency測定またはinter-RAT測定が要求されるＵＥに割り当てられることができるチャンネル区分用直交符号の数が限定される。そこで、前記inter-frequency測定またはinter-RAT測定を遂行するために要求されるＵＥのために割り当てることができるチャンネル区分用直交符号の数が限定される。従って、図８で提示された方法を使用するようになると、図７で提示された方法で支援することができるinter-frequency測定またはinter-RAT測定を遂行するために必要なＵＥの数よりさらに多い数のＵＥを支援することができるようになる。
【００５５】
図８において、第１サブフレーム８０１及び第１サブフレーム８０２で構成された１つのフレームで、前記inter-frequency測定またはinter-RAT測定を遂行すべきである場合に、それぞれ測定区間８０３、測定区間８０４、及び測定区間８０５を提供することができる。測定区間８０４は、タイムスロット８１１の以後のＤｗＰＴＳ、ＧＰ、及びＵｐＰＴＳの伝送区間を含んで連続される少なくとも５個のタイムスロットを有し、ＵＥの逆方向及び順方向伝送チャンネルの任意のタイムスロットに位置している場合より平均的にさらに長い測定区間になる。
【００５６】
一方、連続されるフレームの構造を考慮する場合に、測定区間８０３及び測定区間８０５も順方向タイムスロット８１３以後の３つのタイムスロット及びＤｗＰＴＳ、ＧＰ、及びＵｐＰＴＳの伝送区間を含んでタイムスロット８１０以前の２個のタイムスロットを使用することができ、これにより、ＵＥの逆方向及び順方向伝送チャンネルの任意のタイムスロットに位置している場合より平均的にさらに長い測定区間になる。
【００５７】
図９は、図２１のＭＰに対するまた他の例を示している。図９において、第１サブフレーム９０１のタイムスロット９１０及びタイムスロット９１１をinter-frequency測定またはinter-RAT測定を遂行するために必要なＵＥの逆方向及び順方向伝送に割り当て、第２サブフレーム９０２のタイムスロット９１２及びタイムスロット９１３をinter-frequency測定またはinter-RAT測定を遂行するために必要なＵＥの逆方向及び順方向伝送に割り当てる。図９の方法を使用すると、inter-frequency信号またはinter-RAT信号を測定するＵＥがサブフレームのタイムスロット＃０で順方向チャンネルを受信するので、前記ＵＥは、前記タイムスロット＃０で伝送するＰ−ＣＣＰＣＨ及び他の順方向共通チャンネルを受信することができる。従って、前記ＵＥは、現在通信しているＮｏｄｅ Ｂのシステム情報の変化に対する情報をいつでも受信することができる。また、ＤｗＰＴＳも受信することができるので、前記ＤｗＰＴＳが伝送する情報、すなわち、現在通信しているＮｏｄｅ Ｂとの同期調整に対する情報も分析することができる。
図９に示す測定区間９０３及び測定区間９０４は、それぞれタイムスロット９１１及びタイムスロット９１３以後の５個のタイムスロットを含む。
【００５８】
図１０は、図２１のＭＰに対するまた他の例を示している。図１０において、第１サブフレーム１００１のタイムスロット１０１０及びタイムスロット１０１１をinter-frequency測定またはinter-RAT測定を遂行するために必要なＵＥの逆方向及び順方向伝送に割り当てる。また、第２サブフレーム１００２のタイムスロット１０１２及びタイムスロット１０１３をinter-frequency測定またはinter-RAT測定を遂行するために必要なＵＥの逆方向及び順方向伝送に割り当てる。図１０の方法を使用すると、inter-frequency信号またはinter-RAT信号を測定するＵＥがサブフレームのタイムスロット＃０の前にあるサブフレームの終わりのタイムスロットで順方向信号を受信し、タイムスロット＃０の真後ろにあるタイムスロット＃１で逆方向信号を伝送するので、前記ＵＥは、前記タイムスロット＃０で現在周波数ｆ１を利用して通信しているＮｏｄｅ Ｂの順方向共通チャンネルを受信することができる。また、タイムスロット＃０が利用されないので、inter-RAT測定を遂行するために必要なＵＥをさらに多く支援できる長所がある。
【００５９】
図１０において、測定区間１００３及び測定区間１００４は、それぞれタイムスロット１０１１とタイムスロット１０１０との間の４個のタイムスロットを含み、タイムスロット１０１２とタイムスロット１０１３との間の４個のタイムスロットを含む。
【００６０】
図７乃至図１０は、図２１のＭＰが１０ｍｓである場合の例を示す。しかし、図２２及び図２３は、前記ＭＰが２０ｍｓである場合の例を示し、図２４は、図７乃至図１０で使用した方法とは異なる方法を使用してＭＰが１０ｍｓである場合の例を示す。
【００６１】
図２２は、より長い測定区間を生成するために２個の無線フレームを連結して測定区間を提供するＭＰの例を示す。図２２において、図７乃至図１０で説明した例と同様に、inter-frequency測定またはinter-RAT測定を遂行しようとするＵＥは、サブフレームの当たりそれぞれ１つのタイムスロットを現在通信しているＮｏｄｅ Ｂとの逆方向及び順方向伝送のために使用する。図２２において、逆方向及び順方向伝送のデータをサブフレーム２２０１及びサブフレーム２２０４のタイムスロットにすべて割り当てる。すなわち、タイムスロット２２０５、タイムスロット２２０６、タイムスロット２２０７、及びタイムスロット２２０８が前記ＵＥの逆方向伝送のために使用され、タイムスロット２２０９、タイムスロット２２１０、タイムスロット２２１１、及びタイムスロット２２１２が前記ＵＥの順方向伝送のために使用されると、前記タイムスロット２２０７以後のサブフレーム２２０１の２個のタイムスロット、サブフレーム２２０２、サブフレーム２２０３、サブフレーム２２０４の２個のタイムスロット、及びＤｗＰＴＳ、ＧＰ、及びＵｐＰＴＳ区間は、測定区間２２１３として割り当てられることができる。 
【００６２】
図２２において、inter-frequency測定またはinter-RAT測定を遂行しようとするＵＥで２個の無線フレームを通じてチャンネルを割り当てる方法は、図７乃至図１０で前記ＵＥにチャンネルを割り当てる方法よりはさらに複雑である。しかし、図７乃至図１０での測定区間よりさらに長い測定区間を得ることができる。
【００６３】
図２３において、ＭＰを構成する方法は、inter-frequency測定またはinter-RAT測定を遂行しようとするＵＥが逆方向及び順方向伝送に対してサブフレームの当たり１つのタイムスロットを使用しているという仮定の下に、前記inter-frequency測定またはinter-RAT測定を遂行しようとするＵＥがＭＰの間には、使用するタイムスロットの数を減少させて現在通信しているＮｏｄｅ Ｂと逆方向及び順方向伝送を遂行するようにすることによって、測定区間２３０９及び測定区間２３１０を長くする。図２３において、inter-frequency測定またはinter-RAT測定を遂行しようとするＵＥは、タイムスロット２３０５、タイムスロット２３０６、タイムスロット２３０７、及びタイムスロット２３０８のそれぞれの区間で、２個のチャンネル区分用直交符号を使用して逆方向及び順方向伝送を遂行する。すなわち、図２３では、inter-frequency測定またはinter-RAT測定を遂行しようとするＵＥがＭＰの間にさらに多いチャンネル資源を使用することにより、実際に受信するタイムスロットの時間区間を減少させて測定区間を長くする方法を使用する。図２３における測定区間２３０９は、連続されるフレームの構造を考慮すると、サブフレーム２３０１のタイムスロット２３０５以前の３個のタイムスロット、区間ＤｗＰＴＳ、ＧＰ、及びＵｐＰＴＳ、及びサブフレーム２３０４のタイムスロット２３０８以後の２個のタイムスロットを含む。測定区間２３１０は、サブフレーム２３０１のタイムスロット２３０６以後の２個のタイムスロット、サブフレーム２３０２、サブフレーム２３０３、及びサブフレーム２３０４のタイムスロット２３０７以前の３個のタイムスロット、区間ＤｗＰＴＳ、ＧＰ、ＵｐＰＴＳを含む。
【００６４】
図２４は、図２３において、ＭＰの間にinter-frequency測定またはinter-RAT測定を遂行しようとするＵＥにさらに多いチャンネル資源を割り当てて、実際に受信するタイムスロットの時間区間を減少させる方法を１０ｍｓフレームに適用したことを示す。図２４において、inter-frequency測定またはinter-RAT測定を遂行するＵＥは、タイムスロット２４０５で逆方向伝送を遂行し、タイムスロット２４０６で順方向伝送を遂行する。従って、測定区間２４０７は、サブフレーム２４０１の５個のタイムスロット及びサブフレーム２４０２の６個のタイムスロット、及び区間ＤｗＰＴＳ、ＧＰ、及びＵｐＰＴＳを有する。
【００６５】
図２３及び図２４で提示された方法の核心は、inter-frequency測定またはinter-RAT測定を遂行しようとするＵＥが現在通信しているＮｏｄｅ Ｂで使用しているチャンネル資源を前記ＭＰ区間の間に単純チャンネル資源割当て方法ではないチャンネル資源変更方法を使用してＭＰを構成することにある。 
【００６６】
図２６Ａ乃至図２６Ｄは、３ＧＰＰのＴＤＤでチャンネル割当て方法の反復周期(Repetition Period)及び反復長さ(Repetition Length)を利用してＵＥの測定区間を拡張する方法を示す。
【００６７】
図２６Ａ乃至図２６Ｄにおいて、前記反復周期は、１，２，４，８，１６，３２，及び６４無線フレームであり、前記反復周期ごとにＵＥの逆方向伝送または順方向伝送または逆方向及び順方向伝送が反復されることを意味する。前記反復長さは、前記反復周期の内に逆方向または順方向伝送が行われる連続フレームの個数を示し、‘反復周期−１’より小さいサイズの値を有する。
【００６８】
前記反復周期に対する理解を助けるために、図２６Ａを参照すると、ＵＥは、サブフレーム２６０１の逆方向及び順方向タイムスロット２６０５、サブフレーム２６０２の逆方向及び順方向タイムスロット２６０６、サブフレーム２６０３の逆方向及び順方向タイムスロット２６０７、及びサブフレーム２６０４の逆方向及び順方向タイムスロット２６０８を利用して逆方向伝送及び逆方向受信を遂行する。前記ＵＥの逆方向及び順方向伝送の反復周期は１０ｍｓフレームになり、反復長さも１０ｍｓフレームになる。図２６Ｃは、図２６Ａに示されたチャンネルと同一のチャンネルが１０ｍｓの反復区間と２０ｍｓの反復長さを有する例を示す。すなわち、ＵＥは、１０ｍｓごとにＵＥが逆方向及び順方向伝送を遂行でき、前記反復周期が２０ｍｓであれば、前記ＵＥは、２０ｍｓ単位で逆方向及び順方向伝送を遂行する。すなわち、前記“反復周期”とは、ＵＥの逆方向及び順方向伝送データの量には無関係に、前記逆方向及び順方向伝送データをある区間の間にすべて伝送する値を意味する。
【００６９】
前記反復周期及び反復長さの特性を利用して本発明の実施例で提示されたＭＰの長さを増加させられる方法は、図２６Ｂ、図２６Ｃ、及び図２６Ｄに示されている。図２６Ｂ、図２６Ｃ、及び図２６Ｄで提示されたＭＰに対する理解を助けるために、まず、図２６Ａのチャンネル構造を使用するＵＥのＭＰに対して説明する。
【００７０】
図２６Ａを参照すると、本発明の実施例で提示されたスイッチングポイント周辺でＵＥの逆方向及び順方向の伝送タイムスロットを集めた構造であり、サブフレーム２６０１の測定区間２６０９、サブフレーム２６０１及びサブフレーム２６０２の測定区間２６１０、サブフレーム２６０２及びサブフレーム２６０３の測定区間２６１１、サブフレーム２６０３及びサブフレーム２６０４の測定区間２６１２、そしてサブフレーム２６０４の測定区間２６１３は、前記ＵＥがinter-frequencyまたはinter-RAT測定に使用することができる区間である。図２６Ａで提示されたチャンネル構造は、前記ＵＥが１０ｍｓ以上の長い測定区間を有することが難しい。前記１０ｍｓ以上の測定区間を有する場合には、前記ＵＥの測定正確度及び測定結果の信頼度を向上させることができる。従って、図２６Ｂ、図２６Ｃ、及び図２６Ｄを参照して、前述した反復周期及び反復長さを使用して前記ＵＥの測定区間を拡張する方法を提示する。
【００７１】
図２６Ｂ、図２６Ｃ、及び図２６Ｄにおいて、ＵＥの反復周期は２０ｍｓであると仮定する。しかし、前記２０ｍｓの反復周期の以外に、４０ｍｓ、８０ｍｓ、１６０ｍｓ、３２０ｍｓ、及び６４０ｍｓの反復周期にも後述する方法が同一に適用されることができる。さらに、前記反復周期と類似している概念を使用する他のＴＤＤシステムでも適用されることができる。また、図２６Ｂ、図２６Ｃ、及び図２６Ｄの構造を使用する以前のＵＥの逆方向及び順方向伝送の構造は、図２６Ａの構造を使用するものと仮定する。
【００７２】
図２６Ａの構造でＮｏｄｅ Ｂと逆方向及び順方向伝送、そして、inter-frequency測定またはinter-RAT測定を遂行するＵＥは、図２６Ｂで、サブフレーム２６２１の逆方向及び順方向タイムスロット２６２５及びサブフレーム２６２２の逆方向及び順方向タイムスロット２６２６を使用して前記Ｎｏｄｅ Ｂと逆方向及び順方向伝送を遂行し、サブフレーム２６２１の測定区間２６２７、サブフレーム２６２１及びサブフレーム２６２２の測定区間２６２８、サブフレーム２６２２、サブフレーム２６２３、及びサブフレーム２６２４の測定区間２６２９を使用して、inter-frequency測定またはinter-RAT測定を遂行する。図２６Ｂの測定区間２６２９は、１０ｍｓ以上の長さを有する測定区間であり、連続されるフレームの構造を考慮すると、測定区間２６２７と連結されて使用されることができる長い測定区間である。測定区間２６２９は、図２６Ａで、反復周期１０ｍｓ及び反復長さ１０ｍｓで反復された前記ＵＥの逆方向及び順方向タイムスロットを反復周期２０ｍｓ及び反復長さ１０ｍｓに変更して、前記反復周期２０ｍｓの内の２個のフレームのうち１つのフレームに図２６Ａで前記ＵＥが使用した逆方向及び順方向タイムスロットを集めたものである。
【００７３】
図２６Ｂで提示された方法は、図２６ＡでＵＥが使用した逆方向及び順方向タイムスロットのチャンネル資源、または、チャンネル符号の数を同一に保持しつつ、反復周期のみを変更させて前記ＵＥにさらに長い測定区間を提示する方法である。図２６Ｂの場合には、反復周期は２０ｍｓであり、反復長さは１０ｍｓである。従って、同一の情報を伝送するために２０ｍｓの間に既存に伝送された情報を１つの反復周期の内の１つの反復長さの間に伝送しなければならなく、１つの反復長さの間に逆方向及び順方向伝送のために、それぞれ１つのタイムスロットを使用する図２６Ａの方法とは異なり、図２６Ｂの方法は、１つの反復長さの間に逆方向及び順方向伝送のためにそれぞれ２個のタイムスロットを使用することによって、同一の量の情報を伝送することができる。
【００７４】
図２６Ｃで提示された方法は、図２６Ｂで提示された反復周期を変更する方法とＵＥに割り当てられた逆方向及び順方向チャンネルの伝送速度を変更する方法をともに使用して、前記ＵＥの測定長さを拡張することである。図２６Ｃの場合に、図２６Ｂと同一の方式にて、反復周期は２０ｍｓであり、反復長さは１０ｍｓである。 
【００７５】
図２６Ｃにおいて、サブフレーム２６４１の逆方向及び順方向タイムスロット２６４５及びサブフレーム２６４２の逆方向及び順方向タイムスロット２６４６は、図２６ＡでＵＥが逆方向及び順方向伝送に使用する逆方向及び順方向タイムスロット２６０５、逆方向及び順方向タイムスロット２６０６、逆方向及び順方向タイムスロット２６０７、逆方向及び順方向タイムスロット２６０８を示し、タイムスロット２６４５及び２６４６で前記ＵＥが使用する逆方向及び順方向データ伝送率は、図２６Ａで前記ＵＥが使用した逆方向及び順方向データ伝送率の２倍になる。図２６Ｃにおいて、前記ＵＥが逆方向及び順方向伝送に使用するデータ伝送率に従って前記ＵＥが占めるタイムスロットの数が変更されることができる。
【００７６】
前記伝送率を増加させる方法には、１つのタイムスロットの内で使用するチャンネルコードの数を増加させる方法がある。すなわち、１つのタイムスロットの内に１つのチャンネルコードを利用する従来の方法とは異なり、新たな方法は、伝送率を２倍に増加させるために、１つのタイムスロット内に２個のチャンネルコードを使用することができる。
【００７７】
前記伝送率を増加させるまた他の方法には、１つのタイムスロットの内で使用するチャンネルコードの数は固定されるが、拡散係数(Spreading Factor)を減少させる方法がある。すなわち、１つのタイムスロットの内に１つのチャンネルコードを逆方向伝送に使用し、チャンネルコードの拡散率(Spreading Factor)が１６である場合に、チャンネルコードの拡散率を８に変更させることによって伝送率を２倍に増加させることができる。 
【００７８】
図２６Ｃにおいて、前記ＵＥは、inter-frequencyまたはinter-RAT測定のために、測定区間２６４７、測定区間２６４８、及び測定区間２６４９を使用することができ、連続されるフレームの伝送を考慮すれば、測定区間２６４９及び測定区間２６４７とともにinter-frequency測定またはinter-RAT測定に使用することができる。
【００７９】
図２６Ｄで提示された方法は、２個のサブフレームに分けられているＵＥの逆方向及び順方向タイムスロットを１つのサブフレームに集めることである。図２６Ｄで提示された方法を使用する場合に、inter-frequency測定またはinter-RAT測定を遂行しようとするＵＥは、フレーム２６６１の測定区間２６６６及びサブフレーム２６６１、サブフレーム２６６２、サブフレーム２６６３、及びサブフレーム２６６４の測定区間２６６７を使用することができ、逆方向及び順方向タイムスロット２６６５を逆方向及び順方向伝送に使用することができる。図２６Ｄでの測定区間は、１５ｍｓを超過する測定区間として、前記測定区間をinter-frequency測定またはinter-RAT測定に使用する場合に、前記ＵＥは、より正確な測定結果を得ることができる。図２６Ｄで提示された方法で、図２６ＣでＵＥの逆方向及び順方向データ伝送率を変更させることができれば、さらに長い測定区間を得ることができる。図２６Ｄは、２０ｍｓの反復周期及び５ｍｓの反復長さを有する例を示す。
【００８０】
図２６Ｂ、図２６Ｃ、及び図２６Ｄで提示されたＭＰを構成する方法は、反復周期及び反復長さを変更させて測定区間を長くできる方法に対する例である。また、ＵＥの逆方向及び順方向データ率を変更させることによって、さらに長い測定区間を得ることができる方法に対する例である。
【００８１】
下記では、図２６Ａ乃至図２６Ｄで提案した反復周期及び反復長さの変化を通じたＭＰ増加方法を支援するための上位レイヤーシグナリング手順に対して説明する。
ＵＥに割り当てられたチャンネルを他の形態に変換するために、標準規格は、チャンネル変換手順に使用される幾つのメッセージを提示している。このようなメッセージには、“無線ベアラー設定(Radio Bearer setup)”、“無線ベアラー再構成(Radio Bearer reconfiguration)”、“伝送チャンネル再構成(Transport Channel reconfiguration)”、及び“物理チャンネル再構成(Physical Channel reconfiguration)”手順などがある。このようなメッセージは、下記表１及び表２のような順方向及び逆方向専用チャンネルに対する情報を含む。
【００８２】
【表１】
2005510124.tif 000003
【００８３】
【表２】
2005510124.tif 000004
【００８４】
前記表１及び前記表２で与えられた専用チャンネル情報の組合せを通じてＵＥに割り当てられるチャンネルまたは再び割り当てられるチャンネルの形態を決定することができる。
例えば、図２６Ａのような形態のチャンネルをＵＥに割り当てるために、前記表１及び前記表２で与えられた専用チャンネル情報は、下記表３に示されるように与えられる。
【００８５】
【表３】
2005510124.tif 000005
【００８６】
ここで、前記順方向及び逆方向専用チャンネルのすべての反復周期が１０ｍｓであれば、このような場合に、前記反復長さは、必然的に１０ｍｓになる。現在標準規格によれば、反復周期が１０ｍｓである場合に、反復長さを表示する必要はない。順方向及び逆方向専用チャンネルに割り当てられたコードは、タイムスロット＃３及びタイムスロット＃４のうち１つに使用され、前記表では省略する。
【００８７】
図２６Ａのように割り当てられたチャンネルを図２６Ｂのチャンネル形態に変更しようとする場合に、下記表４のような情報を含んでいるメッセージをＮｏｄｅ Ｂに伝送する必要がある。このとき、使用可能なメッセージの種類には、前述したように、“無線ベアラー再構成(Radio Bearer reconfiguration)”、“伝送チャンネル再構成(Transport Channel reconfiguration)”、“物理チャンネル再構成(Physical Channel reconfiguration)”メッセージなどがある。
【００８８】
【表４】
2005510124.tif 000006
【００８９】
前記表４で連続されたタイムスロット(Consecutive timeslots)に対する情報は、幾つの方式にて提供されることができる。しかし、説明の便宜のために、追加的に使用されたタイムスロットの番号を単純に通報するものと仮定する。
図２６Ｃの場合も前記表４と類似している情報を提供することができる。しかし、順方向及び逆方向専用チャンネルに１つのタイムスロットが割り当てられるので、連続されたタイムスロットに対する情報は省略される。
【００９０】
しかし、図２６Ｄの場合において、現在の標準規格は、必要な情報を提供する方法がない。図２６Ｄの場合に、反復長さが１０ｍｓのフレーム単位ではない５ｍｓのサブフレーム単位である。このような場合も、前述したように、反復周期及び反復長さを通じてチャンネルが割り当てられた形態を通報することができるが、反復周期及び反復長さが有する値は、現在の値とは異ならなければならない。すなわち、現在の反復周期は１，２，４，８，１６，３２、及び６４の値を有することができ、これは、１０ｍｓフレームの数に該当する。しかし、図２６Ｄに示すように、サブフレーム単位でチャンネルが割り当てられる場合に、反復周期は１〜１２８の整数値で定義されなければならなく、それぞれの値は、サブフレームの数に該当するように再び定義されなければならない。また、反復長さの場合も元来１０ｍｓフレームの数に該当するが、５ｍｓのサブフレームの数に該当する値で再び定義されなければならない。
【００９１】
これに基づいて、前記表１及び前記表２で与えられた順方向及び逆方向専用チャンネルに関する情報は、下記表５及び及び表６のように変更されなければならない。
【００９２】
【表５】
2005510124.tif 000007
【００９３】
【表６】
2005510124.tif 000008
【００９４】
前記表５及び前記表６に示すように、反復周期の値が１〜１２８の整数値に変更され、反復周期及び反復長さの定義は、５ｍｓサブフレームの数に該当するように変更される。
このように変更された定義を適用して、図２６Ｄに示した形態で専用チャンネルを割り当てるかまたは変更する場合に、各情報領域は、下記表７に示す値を有する。
【００９５】
【表７】
2005510124.tif 000009
【００９６】
前記表５及び前記表６で再び定義された反復周期及び反復長さを使用して、図２６Ａ及び図２６Ｂに示した形態でチャンネルを割り当てるかまたは変更する場合に、前記表３及び前記表４の情報は、下記表８及び表９に示すように変更されなければならない。
【００９７】
【表８】
2005510124.tif 000010
【００９８】
【表９】
2005510124.tif 000011
【００９９】
図２６Ｂの場合に、反復周期及び反復長さが単純に２倍の値に変更さればよい。しかし、図２６Ａの場合に、反復周期が２個のサブフレームに変更されるので、反復長さが１つのサブフレームに該当することを明示する必要がある。従って、既存の定義を使用する場合に反復長さに対する値を含む必要がないとしても、変更される定義を使用する場合には、反復長さに対する値を必要とする。
【０１００】
図７、図８、図９、図１０、図２２、図２３、図２４、及び図２６Ａ乃至図２６Ｄで提示したＭＰ及び前記ＭＰＳを構成する方法に対する手順は、図２５に示されている。
図２５に示したＭＰ及びＭＰＳを構成する方法は、ＮＢ−ＴＤＤ通信システムで異なる周波数帯域またはinter-RAT信号を利用して他のＮＢ−ＴＤＤ通信システムの信号を測定する場合に適用されることができ、前記方法は、前記ＮＢ−ＴＤＤと類似しているＴＤＤ方式を利用する他の通信システムでも適用されることができる。
【０１０１】
図２５を参照すると、ステップ２５０１で、ＳＲＮＣは、ＵＥが測定する項目の種類に対して決定する。すなわち、ＳＲＮＣは、ＵＥがinter-frequency測定またはinter-RAT測定を遂行するかを決定する。ステップ２５０２で、ＳＲＮＣは、現在ＵＥが使用していないタイムスロットの位置を計算する。ステップ２５０１で、ＵＥが測定する項目が多数である場合(例えば、inter-frequency測定も遂行すべきであり、ＧＳＭまたはＦＤＤのようなinter-RAT測定も遂行すべき場合)には、該当測定を遂行するように決定することができる。また、ＳＲＮＣは、前記inter-RAT測定を順次に遂行するように決定することができる。
【０１０２】
ステップ２５０３において、ステップ２５０２で計算された使用しないタイムスロット区間の間に、ステップ２５０１で決定された測定項目を測定することができるか否かを決定する。ステップ２５０２で計算されたタイムスロット区間の間にステップ２５０１で決定された測定項目を測定することができれば、ステップ２５０６で、ＳＲＮＣは、ステップ２５０２で計算された使用しないタイムスロット区間に基づいてＭＰを決定する。ステップ２５０３で、現在ＵＥが使用しないタイムスロット区間の間にステップ２５０１で決定された測定項目を測定することができないと決定されると、ステップ２５０４で、ＳＲＮＣは、前記ＵＥが使用していないタイムスロットのチャンネル資源の活用状況を分析する。
【０１０３】
ステップ２５０５で、ステップ２５０４で分析された結果に基づいてＵＥに使用されるＭＰを決定する。前記ＭＰは、ステップ２５０１で決定された測定項目の特性に従って決定され、ステップ２５０１で決定された測定項目の数が多数である場合には、ＳＲＮＣは、それぞれの測定項目に対するＭＰを決定することができる。前記それぞれの測定項目に対するＭＰは、同時に適用適用されるか、そうでなければ順次に適用されることができる。前記ＭＰの長さは、図７、図８、図９、図１０、図２２、図２３、図２４、及び図２６乃至図２６Ｄに示すように、サブフレーム、フレーム、複数のフレームの長さで規定されることができる。
【０１０４】
ステップ２５０７で、ＳＲＮＣは、ステップ２５０６またはステップ２５０５で決定されたＭＰに基づいてＭＰＳを決定し、ＭＰＩは、ＭＰ間の間隔を示す。多数のＭＰ及び多数のＭＰＩは、前記ＭＰＳの内で定義されることができる。
ステップ２５０７でＭＰＳが決定されると、ステップ２５０８では、ＭＰ及びＭＰＳ決定アルゴリズムを終結する。
図２５の過程を通じて決定されたＭＰＳは、前記ＭＰＳＰ及びＭＰＳＲＮが決定された後にＵＥに通報されて、前記ＵＥがinter-frequency測定またはinter-RAT測定を遂行することができるようにする。 
【０１０５】
前記ＭＰＳＲＮは、前記ＭＰＳを利用して高信頼度の測定または満足すべき測定結果を得ることができるように決定される。ＵＥは、前記ＭＰＳＲＮの終了時点で測定結果を報告するか、またはＭＰＳＲＮの終了時点の以前にも前記ＵＥの測定結果が満足すべき水準であれば、前記ＵＥは、測定結果を報告することもできる。
【０１０６】
本発明では、ＵＥがinter-RAT測定を行うことができる他の一例で、上位レイヤーのデータ伝送スケジューリング方法を通じてサブフレームまたはフレーム区間の内で伝送を中断する方式を提案する。図２５で提示したＭＰ及びＭＰＳを構成する方法は、inter-frequency測定またはinter-RAT測定を遂行しようとするＵＥがＮｏｄｅ Ｂと通信を遂行していない区間で異なる周波数または異なる通信方式を利用する通信システムの信号をモニタリングする場合に適用される。前記inter-frequency測定またはinter-RAT測定のために、前記ＵＥが現在使用しているタイムスロット以外のアイドルタイムスロットの区間またはチャンネル再割当てを通じて測定を遂行すべきである。しかし、前記ＵＥが高速データを送受信する間に、現在使用しているタイムスロットの以外のアイドルタイムスロット区間で正確な測定を遂行できないか、または前記ＵＥが高速データを送受信するので、チャンネルに再び割り当てられることができるタイムスロットは、十分ではない。従って、前記のような場合に、ＵＥは、サブフレームまたはフレーム区間でデータの送受信の自体を中断する方式を使用して、inter-frequency測定またはinter-RAT測定を遂行することができ、前記送受信中断方式は、図２５の手順を通じて決定されたＭＰの場合と類似して他の１つのパターンとして使用されることもできる。
【０１０７】
図１１、図１３、図１４、図１５、図１６、図１７、及び図１８は、本発明の実施例に従うＮｏｄｅ ＢとＵＥの動作、及び上位レイヤーシグナリング手順を示す。図１１、図１３、図１４、図１５、図１６、図１７、及び図１８の説明の便宜のために、３ＧＰＰ通信システムで共通的に使用する通信網の各要素に対する概念を説明する。前記３ＧＰＰ通信網は、大別して、ＵＴＲＡＮ(UMTS Terrestrial Radio Access Network；以下、ＵＴＲＡＮと略称する。)及びＵＥで構成される。前記ＵＴＲＡＮは、複数のＮｏｄｅ Ｂ制御器(Radio Network Controller；以下、ＲＮＣと略称する。)及び前記ＲＮＣの制御を受信する複数のＮｏｄｅ Ｂで構成される。前記ＲＮＣは、前記ＵＥとの関係に従ってＳＲＮＣ(Serving RNC)及びＤＲＮＣ(Drift RNC)に区別される。前記ＳＲＮＣは、ＵＥが直接に登録されているＲＮＣであり、ＤＲＮＣは、ＵＥと現在通信している Ｎｏｄｅ Ｂを管理しているＲＮＣである。前記ＳＲＮＣ及びＤＲＮＣは同一であることもでき、異なることもできる。
【０１０８】
図１１、図１３、図１４、図１５、図１６、図１７、及び図１８を参照して、ＵＥがinter-RAT測定が必要であることをＮＢ−ＴＤＤシステムのＳＲＮＣが認知したときにＳＲＮＣとＮｏｄｅ Ｂ、そして、ＵＥとの間になされるシグナリングとそれに必要な物理チャンネル上の変化などに対して説明する。
【０１０９】
また、図１１、図１３、図１４、図１５、図１６、図１７、及び図１８は、前記ＭＰ及びＭＰＳが適用されることができるようにするＤＬタイムスロット及びＵＬタイムスロットに対応する無線資源(radio resource)を予め決定し、ＵＥがinter-RAT測定を必要とするときに使用することができるように前記決定された無線資源はを予約する方法を提案する。
【０１１０】
前記ＵＥがinter-RAT測定を必要とするときに使用することができるように予約する方法は、下記説明のようである。前記inter-RAT測定区間の拡張のためのチャンネル割当て変更方法の具現のために、inter-RAT測定に有利なＤＬまたはＵＬチャンネルが割り当てられるタイムスロットリソースを、inter-RAT測定を遂行するのに必要なＵＥのために指定しておき、前記inter-frequency測定またはinter-RAT測定を遂行するのに必要なＵＥ以外の他のＵＥに割り当てない。図８を参照して説明すると、スイッチングポイントが第４タイムスロットと第５タイムスロットとの間に存在する場合に、前記第４タイムスロットに対応する無線資源、すなわち、ＵＬチャンネルコードＮ個と前記第５タイムスロットに対応する無線資源、すなわち、ＤＬチャンネルコードＭ個を前記inter-frequency測定またはinter-RAT測定のための無線資源として予約しておく。前記inter-frequency測定またはinter-RAT測定のための無線資源として予約されることができるタイムスロットは、所定のスイッチングポイントの両方に存在するＵＬタイムスロット及びＤＬタイムスロットになることもできる。前記説明に対しては、図７、図８、図９、図１０、図２２、図２３、図２４、及び図２６Ａ乃至図２６Ｄを参照して前述したようである。ＮＢ−ＴＤＤで、ＤＬチャンネルは、チャンネルコードのＳＦが１または１６の２通りであり、ＵＬチャンネルは、１，２，４，８，及び１６の５通りであるので、ＳＦ＝１６のチャンネルコードＮ個をＵＬリソースとして予約し、Ｍ個をＤＬリソースとして予約する。本発明によると、最初通信要求によって割り当てられたＤＬ及びＵＬタイムスロットを利用して送受信を遂行するＮｏｄｅ ＢとＵＥは、inter-RAT測定が必要ななときに予約されたタイムスロットのうち１つが再び割り当てられて通信を継続して遂行するようになる。結果的に、inter-RAT測定区間を拡張し、前記inter-RAT測定性能を高めることができる。 
【０１１１】
図１１は、本発明の実施例に従うＮｏｄｅ Ｂ及びＵＥの動作を示す。前記ＵＥがinter-frequencyまたはinter-RAT測定を遂行する場合に、前記Ｎｏｄｅ Ｂは幾つのＭＰＳを予め規定しておき、前記規定されているＭＰＳのすべての情報を前記ＵＥに伝送した後に、前記Ｎｏｄｅ Ｂが前記inter-frequency測定またはinter-RAT測定が必要な時点に、前記ＭＰＳ情報に対するインデックス(index)をＵＥに伝送して、前記ＵＥがインデックス情報に対応するＭＰＳを使用してinter-frequency測定またはinter-RAT測定を遂行することができるようにする。また、幾つのＭＰＳを予め規定しておき、それに対応するインデックス情報を利用してＵＥにＭＰＳを伝送する方法の以外に、inter-frequency測定またはinter-RAT測定が必要なＵＥに前記測定時点のごとにＭＰＳに必要な情報を伝送する方法も使用することができる。
【０１１２】
図１１において、ＵＥがＮＢ−ＴＤＤシステムと通信を開始しつつ、ＳＲＮＣがＵＥと前記ＵＥが連結されているＮｏｄｅ Ｂにinter-frequency測定またはinter-RAT測定のためのパターン情報を提供する。すなわち、ＳＲＮＣは、前記設定されたＭＰ、ＭＰＩ、及びＭＰＳなどの情報を提供する。前記ＭＰＳＰは、inter-frequency測定またはinter-RAT測定の開始時点を示す情報であるので、前記情報は、前記inter-frequency測定またはinter-RAT測定の開始時点の以前に提供され、前記ＭＰＳＲＮは、前記ＭＰ、ＭＰＩ、及びＭＰＳとともに、それぞれの測定項目に対して予め提供されることもできる。さらに、ＭＰＳＲＮは、前記ＭＰＳＰとともに測定項目が決定され、測定が始まる時点の直前に提供されることもできる。
【０１１３】
前記ＭＰＩは、前記inter-frequency測定またはinter-RAT測定を遂行しない区間である。前記ＭＰＩ区間で、前記ＵＥは、元来使用したタイムスロット及びチャンネル区分用直交符号を使用して逆方向及び順方向通信を遂行する。前記ＭＰＩ区間の間に前記ＵＥが元来使用したタイムスロット及びチャンネル区分用直交符号を使用することにより、前述したように、inter-frequency測定またはinter-RAT測定を遂行しようとするＵＥにさらに長い測定区間を提供するために、サブフレームの内の特定のタイムスロットの内の幾つのチャンネル区分用直交符号を予約することができる。前記のような場合に、ＭＰＩの間に前記ＵＥがinter-frequency測定またはinter-RAT測定を遂行する以前に使用したタイムスロット及びチャンネル区分用直交符号を使用するので、inter-frequency測定またはinter-RAT測定を遂行する他のＵＥは、前記ＵＥがinter-frequency測定またはinter-RAT測定のときに使用したタイムスロット及びチャンネル区分用直交符号をさらに使用することができる。従って、前記ＵＥもさらに長い測定区間を使用することができる。図１１のステップ１１０１で、前記ＳＲＮＣは、前記inter-frequency測定またはinter-RAT測定のためのパターン情報パラメータを決定する。前記パターン情報は、図２５で説明した方法を使用して決定されることができる。ステップ１１０２で、前記ＳＲＮＣは、ステップ１１０１で決定された前記パラメータを無線リンクの設定のときに前記Ｎｏｄｅ Ｂへ伝送され、無線ベアラー設定のときに前記ＵＥへ伝送される。前記“無線リンク設定”とは、ＳＲＮＣとＮｏｄｅ Ｂとの間の物理的な通信経路を意味し、前記“無線ベアラー設定”とは、ＳＲＮＣとＵＥとの間の論理的なまたは物理的な通信経路を意味する。 
【０１１４】
ステップ１１０３で、inter-frequency測定またはinter-RAT測定に関連したパラメータが前記Ｎｏｄｅ Ｂ及び前記ＵＥに伝送されるので、前記Ｎｏｄｅ Ｂ及び前記ＵＥは、前記inter-frequency測定またはinter-RAT測定のために可能なすべてのパターン情報をすべて有する。次に、ステップ１１０３で、前記ＳＲＮＣは、前記ＵＥが前記inter-RAT測定を必要とすることを認知すると、ステップ１１０４で、前記Ｎｏｄｅ Ｂ及び前記ＵＥへすでに伝送されたパラメータに対応するインデックス、ＭＰＳＰ、及びステップ１１０２で伝送されたパラメータにＭＰＳＲＮが含まれていない場合に、ＭＰＳＲＮのみを前記Ｎｏｄｅ Ｂ 及びＵＥに伝送する。ステップ１１０５で、前記Ｎｏｄｅ Ｂ及び前記ＵＥは、前記ＳＲＮＣが伝送した前記インデックスのみに基づいて、すでに有している前記inter-frequency測定パターンまたはinter-RAT測定パターンのうちいずれかを使用するものであるかを判断する。前記inter-frequency測定パターンまたはinter-RAT測定パターンを決定すると、前記Ｎｏｄｅ Ｂ及び前記ＵＥは、前記各パターンのチャンネル再割当て方式によって現在通信を行っているチャンネルに対する前記パターンで前記inter-frequency測定またはinter-RAT測定のために予約しておいたチャンネルを再び割り当てて通信を継続して遂行している。ステップ１１０７で、前記再び割り当てられたチャンネル以外の送受信を遂行しないタイムスロットで、前記ＵＥは、前記inter-frequency測定またはinter-RAT測定を遂行する。前記inter-frequency測定またはinter-RAT測定のためのＭＰＳは、複数のフレームの長さを有するので、ステップ１１０８で、前記ＵＥ及びＮｏｄｅ Ｂは、現在フレームがinter-frequencyまたはinter-RAT測定終了時点であるかをＭＰＳＲＮと比較して判断する。現在フレームが終了時点であれば、ステップ１１１１で、前記ＵＥは、inter-frequency測定またはinter-RAT測定を終了して前記測定結果を報告する。その後に、ステップ１１１２で、前記ＵＥ及び前記Ｎｏｄｅ Ｂは、inter-frequencyまたはinter-RAT測定が始まる前に使用された逆方向及び順方向タイムスロットを使用して通信を継続して遂行している。しかし、現在フレームが終了時点ではなければ、ステップ１１０９で、前記ＵＥは、次の測定のために使用されるＭＰＳが現在のＭＰＳと同一のものを使用するかまたは異なるＭＰＳを使用するかを判断する。次の測定のために使用されるＭＰＳが現在のＭＰＳと異なる場合には、前記ＵＥは、ステップ１１１０で、前記ＭＰＳのチャンネル再割当て方式に従ってさらに新たなチャンネル再割当てを遂行した後に、ステップ１１０７へ戻る。
【０１１５】
図１１は、ＵＥが１つの測定のみを遂行することを仮定して説明するが、前記ＵＥが複数の測定を並列にまたは直列に遂行する場合にも図１１と同一の手順で遂行することができる。また、図１１において、測定に使用されるパラメータを予め定義し、前記パラメータに対応するインデックス情報を使用する方法を基準にして説明したが、前記測定に使用されるパラメータを直接に伝達する方法も使用されることができる。このような場合に、ステップ１１０２及びステップ１１０５が省略され、ステップ１１０４でパラメータに対応するインデックスを直接に伝送する代わりに、前記パラメータを直接に伝送する。
【０１１６】
図１１で説明したinter-frequencyまたはinter-RAT測定過程を図１２で実際の通信状況を仮定してさらに説明する。図１２において、ＭＰは、２種類が使用されると仮定し、前記ＭＰは、１個の無線フレームの長さを有すると仮定する。
【０１１７】
図１２は、ＵＥとＮｏｄｅ Ｂとの間に伝送される一連のフレームを示す。前記一連のフレームにおいて、inter-RAT測定は、区間１２０２及び１２０４の間に遂行される。前記区間は、任意の基準点で示すＭＰＳＰ１２０１でＭＰ１ １２０２だけの区間と、さらにＭＰ１ １２０３の以後にＭＰ２ １２０４だけの区間でなされると仮定する。前記各ＭＰ１またはＭＰ２には、inter-RAT測定のためのフレームが含まれる。このとき、前記ＭＰ１及びＭＰ２を構成するinter-frequencyまたはinter-RAT測定のためのパターンは同一であることもでき、異なることもできる。また、前記ＭＰＩは、０の値を有することができる。すなわち、ＭＰ１及びＭＰ２が連続して存在することができる。前記ＭＰ１ １２０２、ＭＰ１ １２０３、及びＭＰ２ １２０４は、１つのＭＰＳを構成し、前記ＭＰＳはＭ回反復されることができ、前記反復は、ＭＰＳＲＮで表示される。前記ＭＰＳＲＮが終了されると、前記inter-RAT測定は終了され、ＵＥは、前記測定結果をＳＲＮＣに報告する。図１２において、無線フレーム１２０５、無線フレーム１２０６、無線フレーム１２０７、及び無線フレーム１２０８には、ＭＰ１ １２０２及びＭＰ２ １２０４が適用される。前記ＭＰが適用される前記inter-RAT測定のための各フレームは、前記inter-RAT測定に有利なチャンネル割当て方式を使用する。すなわち、ＭＰ１及びＭＰ２において、図７、図８、図９、図１０、図２２、図２３、及び図２４及び図２６Ａ〜図２６Ｄに関連して説明するように、チャンネル割当て方法が変更される。
【０１１８】
図１２では、ＭＰ１ １２０２及びＭＰ２ １２０４が相互に異なるパターンを使用することを仮定したが、ＭＰ１ １２０２及びＭＰ２ １２０４は、同一のパターンを使用することもできる。しかし、前記それぞれのＭＰに適用されるパターンを同一に使用する場合に、ＮＢ−ＴＤＤ通信システムにおいて、図１のＮＢ−ＴＤＤ、図２のＷＢ−ＴＤＤ、及び図３のＧＳＭシステムをモニタリングするときにＰ−ＣＣＰＣＨ及びＤｗＰＣＨ、Ｐ−ＣＣＰＣＨ及びＳＣＨ、ＳＣＨ及びＦＣＣＨが特定のタイムスロットを通じて伝送されるので、測定を遂行するのに無理がない。しかし、図４で説明したＦＤＤシステムの場合に、Ｐ−ＳＣＨは、同一のパターンをそれぞれのＭＰに適用しても測定可能であるが、Ｓ−ＳＣＨとＰ−ＣＣＰＣＨの場合には、同一のパターンをそれぞれのＭＰに適用すると、測定に問題が発生するようになる。前記Ｓ−ＳＣＨの場合には、スロットごとに伝送されるコードが異なるので、各スロットをすべてモニタリングしなければならなく、同様に、前記Ｐ−ＣＣＰＣＨの場合も、毎スロットを通じて伝送されるので、１つのフレームの内のすべてのスロットをモニタリングしなければならない。さらに、前記Ｐ−ＣＣＰＣＨを通じて伝送されるＢＣＨ情報を読み出すためには、２０ｍｓの間にモニタリングしなければならないので、１つのパターンのみを反復して使用すると、常に、特定のスロット区間を読めない状況が発生し、これにより、inter-frequency測定またはinter-RAT測定を正しく遂行することが不能である。従って、本発明は、inter-RAT測定の目的に従って相互に異なるパターンをＭＰに適用する方法を使用する。
【０１１９】
図１２は、２通りのパターンを使用する一例を示す。図１２において、フレーム１２０５は、サブフレーム１２０９とサブフレーム１２１０とからなる１つのパターンを使用する。このパターンは、図７で説明したinter-frequencyまたはinter-RAT測定区間を拡張するためのチャンネル再割当て方式の例である。サブフレーム１２０９では、ＵＬチャンネルとして第４タイムスロットを割り当てて、ＤＬチャンネルとして第５タイムスロットを割り当てる。サブフレーム１２１０では、ＵＬチャンネルとして第４タイムスロットを割り当てて、ＤＬチャンネルとして第５タイムスロットを割り当てる。従って、フレーム１２０５で、inter-frequencyまたはinter-RAT測定のための区間は、サブフレーム１２０９の第１タイムスロットから第３タイムスロットまでの区間１２１７、サブフレーム１２０９の第６タイムスロットから前記サブフレーム１２１０の第３タイムスロットまでの区間１２１８、サブフレーム１２１０の終わりの２個のタイムスロットを含む。サブフレーム１２１０の終わりの２個のタイムスロットは、次のフレーム１２０６のサブフレーム１２１１の第１タイムスロットから第３タイムスロットまでの区間と連結されて、さらにinter-frequencyまたはinter-RAT測定区間１２１９を形成する。本発明の実施例では、第１フレーム１２０５で使用した図７のパターンを次の第２フレーム１２０６でもそのままに使用する。しかし、第３フレーム１２０７からは、図８で説明したパターンを使用する。第１サブフレーム１２１３で、図８で説明したチャンネル割当て方式に基づいて、ＤＬチャンネルとして第１タイムスロットを割り当てて、ＵＬチャンネルとして第２タイムスロットを割り当てて、第２タイムスロット１２１４で、ＤＬチャンネルとして第１タイムスロットを割り当てて、ＵＬチャンネルとして第２タイムスロットを割り当てる。従って、フレーム１２０７の測定区間は、サブフレーム１２１３の第３タイムスロットから終わりのタイムスロットまでの区間１２２２とサブフレーム１２１４の第３タイムスロットから終わりのタイムスロットまでの区間１２２３とを含む。次のフレーム１２０８でも、図８のチャンネル割当て方式を反復する。図１２で提示した例は、複数のＭＰを使用する最も簡単な例であり、前記ＭＰの数も増やすことができる。
【０１２０】
次に、前述したチャンネル割当て方法を具現するためのＮｏｄｅ Ｂ、ＵＥ、及びＳＲＮＣの間のシグナリング方法を説明する。 
前述したパターンを利用するinter-frequency測定またはinter-RAT測定のためには、ＵＥとＮｏｄｅ Ｂとの間に通信が設定されるとき、すなわち、無線リンクと無線ベアラーがＵＥとＮｏｄｅ Ｂとの間に設定されるときに、前記パターン情報は、ＳＲＮＣからＮｏｄｅ Ｂ及びＵＥに伝送されなければならない。前記パターン情報は、ＭＰ、ＭＰＩ、ＭＰＳ、ＭＰＳＰ、及びＭＰＳＲＮなどが示す各パターンが有するチャンネル再割当て方式に対する情報、パターンの可能な組合せに対する情報、inter-frequencyまたはinter-RAT測定の開始時点及び終了時点に対する情報等を含む。前記チャンネル再割当て方式は、図２５の手順に従って決定される方法であり、前記チャンネル再割当て方式に対する例は、図７、図８、図９、図１０、図２２、図２３、及び図２４及び図２６Ａ〜図２６Ｄに示されている。前述したように、前記inter-RAT測定のためのパラメータの提供は、複数のパラメータを予め定義しておいた後に、これに対応するインデックスを伝送するかまたは前記パラメータを直接的に伝送する方法がある。
【０１２１】
図１３は、inter-RAT測定のためのシグナリングメッセージを伝送する方法を説明しており、前記inter-frequencyまたはinter-RAT測定に対するパラメータを予め定義した後に、前記パラメータに対応するインデックスを伝送する場合を仮定している。図１３は、図１１で説明したＮｏｄｅ ＢとＵＥとの間の動作フローを３ＧＰＰ標準で使用するシグナリング方法に適用する例を示す。すなわち、無線リンクの設定のときに、ＳＲＮＣは、Ｎｏｄｅ Ｂに前記パターン情報を伝送し、無線ベアラーの設定のときに、ＳＲＮＣは、ＵＥに前記パターン情報を伝送する。
【０１２２】
図１３を参照すると、ＳＲＮＣ１３０１は、ステップ１３０４で、Ｎｏｄｅ Ｂ１３０２に無線リンク設定要求ＮＢＡＰ(RADIO LINK SETUP REQUEST NBAP(Node B Application Part；以下、“ＮＢＡＰ”と略称する。)メッセージを伝送し、Ｎｏｄｅ Ｂ１３０２は、ステップ１３０５で、ＳＲＮＣ１３０１に無線リンク設定応答(RADIO LINK SETUP RESPONSE)ＮＢＡＰメッセージを伝送することによって無線リンク設定が行われる。前記“ＮＢＡＰ”とは、Ｎｏｄｅ ＢとＳＲＮＣとの間のシグナリングを遂行するための論理的な部分を意味する。その後に、ＳＲＮＣ１３０１は、ステップ１３０６で、ＵＥ１３０３に無線ベアラー設定無線資源制御(Radio Resource Control；以下、“ＲＲＣ”と略称する。)メッセージを伝送し、これにより、ＵＥ１３０３は、ステップ１３０７で、無線ベアラー設定完了(RADIO BEARER SETUP COMPLETE)ＲＲＣメッセージをＳＲＮＣ１３０１に伝送して無線ベアラー設定を遂行するようになる。前記“ＲＲＣ”とは、ＵＥまたはＮｏｄｅ Ｂの無線リンクの追加、除去、及び変更を管理するための上位レイヤーの論理的な部分を意味する。
下記表１０は、前記無線ベアラー設定のときにＲＲＣメッセージを通じて伝送されるべき情報に対する実施例を示す。
【０１２３】
【表１０】
2005510124.tif 000012
【０１２４】
前記表１０に使用されたパラメータは、測定開始フレームのフレーム番号を示すStarting ＳＦＮであるＭＰＳＰ、測定に使用されるすべてのＭＰＳの使用が可能であるか否かを示す測定パターンシーケンスステータスフラグ(Measurement pattern sequence status flag)、測定区間の全体の長さを示すＭＰＳＲＮ(Total length of pattern sequences)、及び各ＭＰＳを示すパターンなどを含む。前記パターンには、前記ＭＰＳのインデックスを示すＭＰＳインデックス、ＭＰＳの内の各ＭＰに対して前記ＭＰの長さを示すＭＰの長さ、前記ＭＰの間にＵＥ及びＮｏｄｅ Ｂが逆方向及び順方向伝送に使用すべきタイムスロット及び符号情報、及び前記ＭＰの以後の次のＭＰまでの間隔を示すＭＰＩがある。前記ＭＰＳには、複数のＭＰが規定されることができ、順次に使用されることを仮定する。前記ＭＰが順次に使用されない場合には、各ＭＰに対するインデックス情報を追加しなければならない。
下記表１１は、前記無線ベアラー設定のときにＲＲＣメッセージを通じて伝送されるべき情報に対する他の実施例を示す。
【０１２５】
【表１１】
2005510124.tif 000013
【０１２６】
前記表１１に使用されたパラメータは、前記表１０で使用されたパラメータとほぼ同一である。前記表１１において、使用されたスターティングサブフレームナンバー(starting sub-frame number)は、inter-frequencyまたはinter-RAT測定の開始点をフレーム単位ではないサブフレーム単位で設定するように使用され、前記表１１に使用されたＭＰの長さは前記表１０のＭＰの長さとは異なり、ＭＰの長さの単位をサブフレーム単位で設定するように使用される。すなわち、ＭＰの単位は、５ｍｓ＊ｎ(ｎは、自然数)になる。前記inter-frequencyまたはinter-RAT測定の開始点の単位をフレーム単位またはサブフレーム単位で設定することとＭＰの長さの単位をフレームまたはサブフレーム単位で設定することは組み合わせて使用されることができる。 
【０１２７】
図１３において、前述した過程を通じて無線ベアラー設定が遂行されると、ＵＥ１３０３とＮｏｄｅ Ｂ１３０２との間の通信が遂行されている間に、ＳＲＮＣ１３０１は、ＵＥ１３０３がinter-RAT測定を必要とすることを認知すれば、ステップ１３０８で、Ｎｏｄｅ Ｂ１３０２に測定に必要なチャンネル割当てを要請するRL_REASSIGN REQUEST NBAPメッセージを伝送する。前記ＮＢＡＰメッセージは、前記inter-frequencyまたはinter-RAT測定のために該当ＵＥに対するチャンネル再割当てを通じたチャンネル変更を要求するメッセージである。ステップ１３０９で、前記Ｎｏｄｅ Ｂは、RL_REASSIGN REQUEST NBAPメッセージに応じて、ＳＲＮＣ１３０１にRL_REASSIGN RESPONSE NBAPメッセージを伝送する。ＳＲＮＣ１３０１は、Ｎｏｄｅ Ｂ１３０２から応答を受信すると、ステップ１３１０で、ＵＥ１３０３に測定制御のためのMEASUREMENT CONTROL RRCメッセージを伝送する。ＳＲＮＣ１３０１は、MEASUREMENT CONTROL RRCメッセージを通じて無線ベアラーの設定のときに伝送したパターン情報のうちの１つに対するインデックスを前記ＵＥに伝送し、ＵＥ１３０３は、ＳＲＮＣ１３０１からのMEASUREMENT CONTROL RRCメッセージを受信すると、前記インデックスを分析して前記inter-RAT測定のためのフレームを決定する。また、各フレームで使用するパターンを分析し、各パターンに従って予約されたタイムスロットのチャンネルコードを再び割り当て、前記再び割り当てられたチャンネルコードを使用して通信を継続して遂行する。ＵＥ１３０３は、前記通信が継続して進行される間に、前記inter-RAT測定を同時に遂行する。Ｎｏｄｅ Ｂ１３０２も前記ＵＥが前記inter-RAT測定を遂行することを認知しているので、前記予約されたタイムスロットに対するチャンネルコードを通じて通信を遂行することができる。前記inter-RAT測定を通じて、ＵＥ１３０３は、ステップ１３１１で、ＳＲＮＣ１３０１にMEASUREMENT REPORT RRCメッセージとともにinter-frequencyまたはinter-RAT測定結果を伝送することができる。図１３において、inter-frequencyまたはinter-RAT測定が必要な時点ごとに、前記ＵＥに前記inter-frequencyまたはinter-RAT測定に必要なパラメータを与える場合のＵＥ、Ｎｏｄｅ Ｂ、及びＳＲＮＣ間の信号フローに対して、図１３のステップ１３０８で、ＳＲＮＣ１３０１は、前記表１０及び表１１に示されているパラメータをRL_REASSIGN REQUESTメッセージを通じてＮｏｄｅ Ｂ１３０２へ伝送し、図１３のステップ１３１０でMEASUREMENT CONTROLメッセージをＵＥ１３０３に伝送する。 
【０１２８】
図１４、図１５、及び図１６は、inter-frequencyまたはinter-RAT測定を遂行する間にＳＲＮＣ、Ｎｏｄｅ Ｂ、及びＵＥの動作を説明する。図１４、図１５、及び図１６の説明過程において、前記inter-frequencyまたはinter-RAT測定に使用されるパラメータは、ＵＥ、Ｎｏｄｅ Ｂ、及びＳＲＮＣの間に予め約束されており、測定のときには、前記パラメータに対応するインデックスがＳＲＮＣからＵＥ及びＮｏｄｅ Ｂへ伝送されることを仮定する。図１４は、inter-RAT信号の測定のときにＳＲＮＣの動作を示すフローチャートである。
【０１２９】
図１４を参照すると、ステップ１４０１で、ＳＲＮＣがＵＥとの通信設定を開始するに従って、ステップ１４０２で、ＳＲＮＣは、inter-RAT測定のためのパターン情報を含んでいる前記ＵＥとの通信設定に必要な複数のパラメータを生成する。ステップ１４０３で、ＳＲＮＣは、前記生成されたパラメータをＮｏｄｅ ＢへＮＢＡＰメッセージを通じて伝送し、ステップ１４０４で、Ｎｏｄｅ Ｂから応答ＮＢＡＰメッセージを受信する。その後に、前記ＳＲＮＣは、ステップ１４０５で、ＵＥに無線ベアラー設定ＲＲＣメッセージを通じて前記パラメータ情報を伝送し、ステップ１４０６で、無線ベアラー設定完了メッセージをＵＥから受信する。そうすると、ＳＲＮＣは、ステップ１４０７でＵＥとの通信連結を遂行する。ステップ１４０８で、前記ＳＲＮＣは、前記ＵＥがinter-RAT測定を必要とすることを認知すれば、前記ＳＲＮＣは、ステップ１４０９で、前記ＵＥが含まれたＮｏｄｅ ＢにRL_REASSIGN REQUEST NBAPメッセージを伝送してinter-RAT測定に必要なチャンネル再割当てを指示する。前記ＳＲＮＣは、前記Ｎｏｄｅ Ｂに前記ＮＢＡＰメッセージを通じて無線リンクの設定のときにすでに伝送したinter-RAT測定のためのパターンのうち１つを示すインデックス情報を伝送する。前記ＳＲＮＣは、ステップ１４１０で、前記Ｎｏｄｅ ＢからＮＢＡＰメッセージを受信する。前記ＳＲＮＣは、前記Ｎｏｄｅ ＢからのＮＢＡＰメッセージを通じて前記ＵＥにinter-frequencyまたはinter-RAT測定のためのチャンネル再割当て、すなわち、チャンネル変更が可能であるかに対する応答を受信する。前記ＳＲＮＣは、前記ＵＥが前記inter-frequencyまたはinter-RAT測定のために予約されたリソースを使用して、前記inter-frequencyまたはinter-RAT測定が可能であれば、ステップ１４１１で、MEASUREMENT CONTROL RRCメッセージを通じて測定制御情報をＵＥに伝送する。前記ＳＲＮＣは、前記ＲＲＣメッセージを通じて無線ベアラーの設定のときにすでに伝送したinter-RAT測定のためのパターンのうち１つを示すインデックス情報を前記ＵＥに伝送する。前記ＵＥは、前記インデックス情報に基づいてinter-
RAT測定のためのパターンを決定し、前述した送受信タイムスロットをinter-RAT測定のために予約されたタイムスロットとして再び割り当てる。ステップ１４１２で、前記ＳＲＮＣは、前記ＵＥがMEASUREMENT REPORT RRCメッセージを通じて伝送する前記inter-RAT測定結果を受信する。ステップ１４１３で、前記ＳＲＮＣは、前記測定結果に基づいてハンドオーバーなどの他の動作を遂行する。
【０１３０】
図１５は、inter-RAT測定のときにＮｏｄｅ Ｂの動作を示すフローチャートである。 
図１５を参照すると、ステップ１５０１で、Ｎｏｄｅ Ｂは、ＳＲＮＣから無線リンク設定要求ＮＢＡＰメッセージを受信し、これを通じて、inter-RAT測定のためのパターン情報を得るようになる。ステップ１５０２で、Ｎｏｄｅ Ｂは前記パターン情報を貯蔵する。その後に、ステップ１５０３で、前記Ｎｏｄｅ Ｂは、前記ＳＲＮＣに無線リンク設定応答ＮＢＡＰメッセージを伝送して無線リンク設定を通報する。そうすると、ステップ１５０４で、ＵＥとの通信連結を遂行する。ステップ１５０４で、前記ＵＥと通信を保持している前記Ｎｏｄｅ Ｂは、ステップ１５０５で、前記ＳＲＮＣからRL_REASSIGN REQUEST NBAPメッセージを受信する。前記ＮＢＡＰメッセージを受信すると、前記Ｎｏｄｅ Ｂは、前記ＮＢＡＰメッセージのインデックスを分析して前記ＵＥのinter-RAT測定のために予約されたチャンネルコードを使用して、チャンネル割り当て、すなわち、チャンネル変更の可能性を判断する。前記チャンネル変更の可能性の判断に基づいて、ステップ１５０６で、前記Ｎｏｄｅ Ｂは、前記チャンネル変更の可能性を、ＮＢＡＰメッセージを通じて前記ＳＲＮＣに伝送する。その後に、ステップ１５０７に進行して、前記Ｎｏｄｅ Ｂは、前記ＵＥが前記inter-RAT測定のために予約されている無線資源(ＤＬタイムスロット及びＵＬタイムスロットに対応するチャンネルコード)を割り当てて前記ＵＥとの送受信を保持する。
【０１３１】
図１６は、inter-RAT測定のときにＵＥの動作を示すフローチャートである。図１６を参照すると、ステップ１６０１で、ＵＥは、ＳＲＮＣから無線ベアラー設定ＲＲＣメッセージを受信し、これを通じてinter-RAT測定のためのパターン情報を得るようになる。ステップ１６０２で、前記ＵＥは前記パターン情報を貯蔵する。その後に、ステップ１６０３で、前記ＵＥは、前記ＳＲＮＣへ無線ベアラー設定完了ＲＲＣメッセージを伝送して無線ベアラー設定を通報し、ステップ１６０４で、Ｎｏｄｅ Ｂとの送受信を保持する。前記ＵＥは、ステップ１６０５で、前記ＳＲＮＣからＲＲＣメッセージを通じて測定制御メッセージを受信する。前記ＲＲＣメッセージを受信すると、前記ＵＥは、前記ＳＲＮＣが伝送したパターン情報インデックスを読み出して、使用するパターンを選択する。ステップ１６０６で、前記ＵＥは、前記パターンに従って前記inter-RAT測定のために予約されているチャンネルリソース(または無線資源)を利用して送受信チャンネルを変更した後に通信を保持する。前記ＵＥは、前記リソース変更によって長くなるinter-frequencyまたはinter-RAT測定のための区間で、前記inter-RAT測定を遂行し、ステップ１６０７で、MEASUREMENT REPORT RRCメッセージを通じて前記測定結果をＳＲＮＣに伝送する。
【０１３２】
本発明は、前述したinter-frequencyまたはinter-RAT測定のためのシグナリング方法にて、 inter-frequencyまたはinter-RAT測定方式を決定するものにのみ制限されない。前述したように、ＳＲＮＣが無線リンク及び無線ベアラーを設定するときに、Ｎｏｄｅ Ｂ及びＵＥにinter-frequencyまたはinter-RAT測定のためのパラメータを予め伝送し、inter-frequencyまたはinter-RAT測定が要求されるときに、測定ＲＲＣメッセージを通じてインデックスのみを伝送する。前記ＳＲＮＣは、inter-frequencyまたはinter-RAT測定が必要であることを認知したときに、ＲＲＣメッセージを通じてinter-frequencyまたはinter-RAT測定のための複数のパラメータを伝送することができる。言い換えれば、ＵＥが始めにシステムと通信を開始するときに、inter-frequencyまたはinter-RAT測定のためのパラメータをＳＲＮＣからＮｏｄｅ Ｂ及びＵＥへ伝送することができる。他の実施例の方法にて、inter-frequency測定またはinter-frequencyまたはinter-RAT測定が必要であるときに、ＳＲＮＣは、測定制御メッセージを通じて前記ＵＥにinter-frequencyまたはinter-RAT測定のためのパラメータを伝送することもできる。
【０１３３】
図１７は、本発明で提案したinter-frequencyまたはinter-RAT測定のために予約されているタイムスロットを割り当てる方法にて、予約されたチャンネルコードをinter-RAT測定を行うＵＥのためにのみ制限的に使用するよりは、inter-frequencyまたはinter-RAT測定を遂行するＵＥに優先権を与えて、一般ＵＥ(inter-RAT測定に関係しないＵＥ)とともに使用することができる方法を提案している。inter-RAT測定を遂行するＵＥのために特定のタイムスロットに対するチャンネルコードを予約しておいた場合に、inter-RAT測定が必要なＵＥが存在しないとしても、前記予約されているリソースを一般ＵＥに割り当てることができないので、リソースの利用効率性を低下させることができる。従って、これを防止するための方法にて、前記リソースを完全に予約するよりはリソースに最も低い優先順位を与えて、一般ＵＥに前記リソースを割り当てない。すなわち、前記予約されたリソースの以外のリソースをinter-RAT測定を遂行するＵＥに割り当て、リソースが不足する場合にのみ一般ＵＥにもリソースを割り当てることができる。前述したように、低い優先順位を与えて効率をさらに高めることができる方法を使用する場合に、inter-RAT測定のためのリソースがinter-RAT測定が必要ないＵＥに割り当てられる可能性が発生する。このとき、inter-RAT測定を必要とするＵＥが発生する場合に、inter-RAT測定に適合したリソースを使用したＵＥと前記inter-RAT測定を必要とするＵＥのリソースを相互に変更しなければならない。もちろん、inter-RAT測定が不要である場合には、相互に以前のリソースに戻ることもでき、そのままに変更されたリソースを使用することもできる。
【０１３４】
図１７を参照すると、ステップ１７０１で、ＳＲＮＣは、任意のＵＥがinter-RAT測定を必要とすることを認知すると、ステップ１７０２で、前記ＳＲＮＣが前記ＵＥのＣＲＮＣ(Controlling RNC)であるか否かを判断する。前記“ＣＲＮＣ”とは、ＵＥが連結されているＲＮＣを意味する。前記ＳＲＮＣが前記ＵＥのＣＲＮＣではない場合に、ステップ１７０３で、前記ＳＲＮＣは、ＤＲＮＣにinter-RAT測定のためのリソース情報に対する要求を伝送する。その後に、ステップ１７０４で、前記ＳＲＮＣは、inter-RAT測定のために予約されたすべてのリソースに対する使用が可能であるか否かを判断する。ステップ１７０５で、前記すべてのリソースに対する使用が不可能である場合には、前記ＳＲＮＣは、図１４のステップ１４０８の次のステップを連続して遂行すればよい。しかし、前記リソースがすべて使用される場合には、ステップ１７０６で、前記リソースを使用するＵＥがinter-RAT測定を遂行するＵＥであるか否かを判断する。前記inter-RAT測定を遂行するＵＥが前記リソースを使用する場合には、ステップ１７０７で、前記ＵＥは、リソースの使用が可能になる時点まで待機する。しかし、inter-RAT測定が必要ないＵＥがinter-RAT測定のためのリソースを割り当てられると、ステップ１７０８で、前記２つのＵＥの使用リソースを変更する過程を遂行する。このような場合には、２つのＵＥのすべてに割り当てたリソースを変更させなければならないので、これに対する情報をＮｏｄｅ Ｂ及び２つのＵＥに伝送すべきである。すなわち、図１４で説明した過程で、２つのＵＥに対する情報がＮｏｄｅ Ｂへ伝送されなければならなく、図１６で説明した過程は、inter-RAT測定が必要なＵＥに使用されるべきである。また、予約されたリソースを元来使用したＵＥにも適用して過程を遂行すべきである。
【０１３５】
一方、前記ＵＥは、前記inter-frequencyまたはinter-RAT測定の終了時点で、前記ＳＲＮＣにこれを報告し、これにより、前記inter-RAT測定のために前記ＵＥに再び割り当てられたＤＬタイムスロット及びＵＬタイムスロットを解除する。そして、前記ＵＥは、以前に使用したＤＬタイムスロット及びＵＬタイムスロットを使用して送受信を継続して遂行する。
【０１３６】
図１８は、前記ＵＥが本実施例が支援する方法を利用してinter-RAT測定を行う場合に、ＵＥがinter-RAT測定の中止に対する権限を有しつつ効率性をさらに高める方法に対するＵＥの遂行過程を示すフローチャートである。本実施例において、ＵＥは、前記ＵＥに伝送されたインデックスに対応するパターンに基づいてinter-RAT測定を遂行する。従って、inter-RAT測定のためのシグナリングロードが減少する長所を有する。しかし、ＵＥが前記パターンに従ってinter-RAT測定を遂行する途中に、inter-RAT測定が不要になることを認識するようになると、前記パターンに基づいてinter-RAT測定を継続して遂行することは効率を低下させる。従って、本実施例において、パターンに基づいてinter-RAT測定を遂行するＵＥは、ＳＲＮＣにＲＲＣメッセージとともにinter-RAT測定終了要請を伝送して、inter-RAT測定終了時点の以前にもinter-RAT測定を終了できるようにする。
【０１３７】
図１８を参照すると、ＵＥは、パターン情報を受信した後に、ステップ１８０１で、ＳＲＮＣからMEASUREMENT CONTROL RRCメッセージを受信し、前記受信されたパターン情報に含まれているインデックスに該当するパターンを探索する。ステップ１８０２で、ＵＥは、前記パターンに従ってinter-RAT測定を遂行し、その後に、MEASUREMENT REPORT RRCメッセージを伝送する。前記ＵＥは、ステップ１８０３で、inter-RAT測定が継続して必要であるか否かを判断した後に、inter-RAT測定が継続して必要な場合には、ＵＥは、inter-RAT測定を継続して遂行する。ステップ１８０４で、前記パターンに従って測定終了が要求されると、ステップ１８０５で、ＵＥは、inter-RAT測定を終了して変更されたリソースを元来の状態に戻る。ステップ１８０３で、パターンに従ってinter-RAT測定が終了されない状況で、inter-RAT測定の必要性がなくなる場合に、前記ＵＥは、ステップ１８０６に進行して、前記ＳＲＮＣにinter-RAT測定終了を要請するＲＲＣメッセージを伝送する。ステップ１８０７で、前記ＳＲＮＣから応答ＲＲＣメッセージを受信するようになると、ＵＥは、パターンに関係なくinter-RAT測定を終了する。
【０１３８】
図１９は、本発明の実施例に従うＵＥの送受信器の構造を示すもので、ＵＥからＮｏｄｅ ＢへＵＬ物理チャンネルを伝送する送信器及びＮｏｄｅ ＢからＤＬ物理チャンネルを受信する受信器を示す。ＮＢ−ＴＤＤシステムでは、逆方向及び順方向伝送のために同一の周波数帯域を使用するので、送受信器は、交換器(switch)によって区別される。 
図１９のＵＥの送受信器の構造で使用者データとのＵＬチャンネルを伝送する過程は、下記に説明される。
【０１３９】
使用者データ１９０１は、上位階層からシグナリング情報及び使用者データ情報を含んでいる。使用者データ１９０１は、符号器１９０２を通じて符号化される。前記符号化は、データ伝送の間に発生したエラーを検出するか、または前記検出されたエラーを補正するために遂行される。前記符号化には、畳み込み符号化(convolutional coding)、ターボ符号化(Turbo coding)、及びチャンネル区分用直交符号化方法が使用される。符号器１９０２によって符号化された使用者データは、インターリーバー１９０３でインターリービングされる。前記インターリービングは、物理チャンネルを通じて伝送される使用者データに時間的にバーストエラーが発生する場合に、前記バーストエラーがデータに及ぼす影響を減少させるために遂行される。前記インターリービングは、予め定められた規則に従って使用者データの伝送手順を変更する方式である。このようにして、伝送過程で雑音によるバーストエラーが発生したとしても、受信器でデインターリービングを通じて各エラーの位置が分散されるので、前記バーストエラーの影響を最小にする。インターリーバー１９０３でインターリービングした使用者データは多重化器１９０７に入力され、多重化器１９０７は、伝送形式組合せ指示者(Transmit Format Combination Indicator；以下、“ＴＦＣＩ”と略称する。)１９０４、同期遅延(Synchronization Shift；以下、“ＳＳ”と略称する。 )１９０５、及び伝送電力制御命令(Transmit Power control Command；以下、“ＴＰＣ”と略称する。)１９０６と多重化して使用者のデータ部を構成する。ＴＦＣＩ１９０４は、多様な種類の使用者データが同時に伝送される場合に、各使用者データのデータ伝送率と伝送フォーマットを示す指示者として、Ｎｏｄｅ Ｂがデータを正しく解釈できるようにする機能を遂行する。ＳＳ１９０５は、サブフレームごとに伝送される命令語として、ＤＬ同期を調節するために使用される。ＴＰＣ１９０６は、電力制御のための命令語として、Ｎｏｄｅ ＢからＵＥへ伝送した順方向の送信電力を制御するために使用される。多重化器１９０７で生成したデータ部は、拡散器１９０８に入力され、拡散器１９０８は、拡散のために、前記データ部にチャンネルコードを乗じる。拡散器１９０８で使用したチャンネルコードは、通信が開始されるときにＵＥに割り当てられる。
【０１４０】
本発明は、inter-frequencyまたはinter-RAT測定のために、前記ＵＥが伝送しているチャンネルを変更する過程を提供する。前記inter-frequencyまたはinter-RAT測定開始命令を受信すると、前記ＵＥは、ＳＲＮＣから伝送した情報に基づいて、前記inter-frequencyまたはinter-RAT測定のためのパラメータを選択した後に、前記選択されたパラメータに基づいたinter-frequencyまたはinter-RAT測定パターンに従ってチャンネルの再割当て過程を遂行する。前記チャンネル再割当て過程を遂行するために、拡散器１９０８は、前記受信されたデータ部を前記inter-frequencyまたはinter-RAT測定のためのパターンで使用されるチャンネルコードと乗じなければならない。前記チャンネルコード情報は、制御器１９２１によって提供される。前記制御器１９２１は、inter-RAT測定のために、前記ＵＥがデータの送受信のために使用する逆方向及び順方向伝送チャンネルに対する情報をＳＲＮＣが決定したパラメータに基づいて決定し、データの送受信のときに、前記逆方向及び順方向伝送チャンネルに割り当てられたタイムスロットのチャンネルコードを使用するように拡散器１９０８を制御する。拡散器１９０８は、前記inter-frequencyまたはinter-RAT測定のために再び割り当てられたチャンネルコードと前記使用者データ部を乗じる。
【０１４１】
拡散器１９０８から出力された使用者データ部は、乗算器１９０９でチャンネル利得と乗じられる。前記チャンネル利得は、ＵＥからＮｏｄｅ Ｂへ伝送したＵＬチャンネルの送信電力に基づいて決定される。乗算器１９０９から出力された使用者データ部は、乗算器１９１０でスクランブリングコードと乗じられる。前記スクランブリングコードは、Ｎｏｄｅ Ｂを区別するために使用され、同一の信号の多重経路間の相互相関度(Cross Correlation)を減少させるために使用される。乗算器１９１０でスクランブリングされた使用者データ部は、２つの部分に分けられ、前記分けられた２個の使用者データ部の間には、ミッドアンブル１９１４が挿入される。前記２つの使用者データ部と前記ミッドアンブル１９１４、及びＧＰが１つのＵＬタイムスロットを構成する。前記ミッドアンブル１９１４は、同一のタイムスロットを使用するＵＥを区別するために使用され、同一のタイムスロットを使用するＮｏｄｅ Ｂチャンネルを区別するために使用され、そしてＤＬ／ＵＬ伝送の間にチャンネル推定のために使用される。また、ＤＬ伝送において、Ｎｏｄｅ ＢからＵＥへのチャンネル経路に従う損失を測定するために使用される。さらに、各Ｎｏｄｅ Ｂが相互に異なるミッドアンブル１９１４を使用するので、ミッドアンブル１９１４は、Ｎｏｄｅ Ｂを区別するために使用される。前記ミッドアンブル１９１４には、１２８種類の特定のシーケンスが使用される。各Ｎｏｄｅ Ｂは、前記特定のシーケンスのうち１つを使用し、前記Ｎｏｄｅ Ｂの内の各ＵＥは、前記特定のシーケンスのシフトバージョンを使用する。前記ＧＰは、ＤＬスロット及びＵＬスロットが重複することによって発生する干渉のようなＤＬ／ＵＬタイムスロットの間で多重経路の遅延による干渉を除去するために使用され、前記区間ＧＰでは、実質的になにも伝送されない。
【０１４２】
多重化器１９１１から出力された使用者ＵＬチャンネルは、変調器１９１２で変調される。変調器１９１２で使用する変調方式には、ＱＰＳＫ(Quadrature Phase Shift Keying)または８ＰＳＫ(8 Phase Shift Keying)などがある。変調器１９１２から出力された使用者ＵＬチャンネルは、スイッチ１９２０に入力され、スイッチ１９２０は、使用者ＵＬチャンネルを伝送しようとするタイムスロットでＮｏｄｅ Ｂへ前記使用者ＵＬチャンネルを伝送する。
【０１４３】
本発明では、inter-frequencyまたはinter-RAT測定のために、チャンネルを再び割り当てて伝送するので、前記ＵＥは、制御器１９２１を通じてスイッチ１９２０を調整して、現在のタイムスロット区間ではない新たに割り当てられたタイムスロット区間で伝送するようになる。前記新たなタイムスロットに対する情報は、inter-frequencyまたはinter-RAT測定区間を拡張するためのパターンに従って決定され、前記パターンは、図２５で説明した過程によって選択される。制御器１９２１は、ＵＬチャンネルの伝送時点を調節し、ＮＢ−ＴＤＤシステムのサブフレームの構造に従って、ＵｐＰＴＳの伝送時点及びＤｗＰＴＳの受信時点を調節し、Ｎｏｄｅ ＢからのＤＬチャンネルの受信時点に従って、スイッチ１９２０を調節する。前記ＵｐＰＴＳは、ＵｐＰＴＳ生成器１９１３を通じて生成され、ＵＬ伝送同期を合わせるために使用される。スイッチ１９２０から出力された使用者ＵＬチャンネルは、ＲＦ(Radio Frequency)部１９２２を通じて搬送波周波数帯域(Carrier Frequency Band)信号に上向変換されてアンテナ１９２３を通じてＮｏｄｅ Ｂへ伝送される。前記Ｎｏｄｅ Ｂへ伝送された信号は、ＵＴＲＡＮへさらに伝送される。本発明に従うinter-frequencyまたはinter-RAT測定を遂行する場合に、前記ＵＥは、自分の信号を伝送するかまたは受信するタイムスロットの以外の区間では、他のシステムをモニタリングする。従って、前記ＵＥがＵＬチャンネルを伝送するかまたはＤＬチャンネルを受信する以外のタイムスロット区間になると、制御器１９２１は、ＲＦ部１９２２の周波数を調節して他のシステムをモニタリングする。inter-frequencyまたはinter-RAT測定のために、制御器１９２１は、ＲＦ部１９２２の周波数帯域を周辺Ｎｏｄｅ Ｂで使用する周波数帯域に変更する。これにより、前記周辺Ｎｏｄｅ Ｂから信号を受信するようになる。前記inter-frequencyまたはinter-RAT測定が終了されると、制御器１９２１は、さらに元来のＵＬ伝送に使用した周波数帯域に戻るように前記ＲＦ部１９２２を調節する。
【０１４４】
図１９のＵＥの送受信器の構造でＤＬチャンネルを受信する過程は、下記説明のようである。
アンテナ１９２３を通じて受信された順方向チャンネルは、ＲＦ部１９２２によって搬送波帯域から基底帯域(Baseband Frequency)に下向変換されてスイッチ１９２０に入力される。スイッチ１９２０は、制御器１９２１の制御の下に順方向チャンネルを受信する時点になると、復調器１９３２に連結される。前記ＵＥが受信する信号は、前記Ｎｏｄｅ Ｂから伝送したＤｗＰＴＳと他のＮｏｄｅ Ｂから伝送したＤｗＰＴＳを含むことができる。スイッチ１９２０は、ＤｗＰＴＳの受信時点では、ＤｗＰＴＳ解釈器１９３１に連結されて、受信されたＤｗＰＴＳをＤｗＰＴＳ解釈器１９３１に入力させる。前記ＤｗＰＴＳは、ＵＥがＮｏｄｅ Ｂを探索する初期セル探索過程で受信して、システム情報を含んでいるＢＣＨを伝送する物理チャンネルＰ−ＣＣＰＣＨの位置及び前記ＵＥが多重フレームの構造で現在受信したＤＬフレームの位置を通報する機能を遂行すると同時に、ＵＬチャンネルの同期を測定するのに利用される。ＤｗＰＴＳ解釈器１９３１は、相関器(Correlator)または整合フィルタ(Matched Filter)になることができる。
【０１４５】
復調器１９３２は、Ｎｏｄｅ Ｂが使用した変調方式に従ってＤＬチャンネルをさらに復調して逆多重化器１９３３に入力する。逆多重化器１９３３は、ＤＬチャンネルをミッドアンブル１９３４及び使用者データ部に分離する。ミッドアンブル１９３４は、Ｎｏｄｅ Ｂから受信した順方向チャンネルの電力強度を測定し、Ｎｏｄｅ Ｂから伝送した順方向チャンネルを識別し、前記ミッドアンブルの解釈を通じて前記ＵＥに伝送されるデータがあるか否かを判断するために使用される。
【０１４６】
逆多重化器１９３３から出力された順方向データ部は、乗算器１９３５に入力される。乗算器１９３５は、復調されたＤＬデータ部に前記Ｎｏｄｅ Ｂで使用したスクランブリングコードをさらに乗じるデスクランブリング過程を遂行する。前記デスクランブリングされたデータは、逆拡散器１９３６に入力される。逆拡散器１９３６は、順方向データ部を使用者データとＮｏｄｅ Ｂのシステム情報またはＵＥの制御情報が伝送されるＤＬ共通チャンネル１９３７に区別し、拡散された使用者データとＤＬ共通チャンネルに対する逆拡散を遂行する。逆拡散器１９３６は、Ｎｏｄｅ Ｂで使用者データ部と順方向共通チャンネルに使用したＯＶＳＦ(Orthogonal Variable Spreading Factor)符号をさらに乗じて前記のような機能を遂行する。
【０１４７】
前記ＵＥがinter-RAT測定を行う場合に、逆拡散器１９３６は、チャンネルコードの再割当てを通じて順方向伝送チャンネルを変更する過程を遂行する。前記inter-RAT測定のために、制御器１９２１は、ＵＥが新たに割り当てられたチャンネルでデータを受信できるようにチャンネルコード情報を拡散器１９３６に提供する。逆拡散器１９３６は、前記順方向伝送チャンネルに前記再び割り当てられたチャンネルコードを乗じて逆拡散を遂行する。 
【０１４８】
逆拡散器１９３６から出力された使用者データは、逆多重化器１９３８に入力され、逆多重化器１９３８は、前記入力された使用者データをＴＰＣ１９３９、ＴＦＣＩ１９４０、及びＳＳ１９７０、及び純粋使用者データに逆多重化する。ＴＰＣ１９３９は、ＵＥが伝送する逆方向チャンネルの送信電力の制御に使用され、ＴＦＣＩ１９４０は、Ｎｏｄｅ ＢからＵＥに伝送するデータの種類を区別して解釈するために使用され、ＳＳ１９７０は、Ｎｏｄｅ ＢからＵＥに伝送する逆方向チャンネルの同期調整を要求する命令語として使用される。逆多重化器１９３８から出力された純粋使用者データは、デインターリーバー１９４１に入力され、デインターリーバー１９４１は、デインターリービングを通じて順方向伝送の間に発生したバーストエラーを分散した後に、前記デインターリービングされた使用者データを復号器１９４２に提供する。復号器１９４２は、デインターリービングされた使用者データを復号して使用者データ１９４３を出力する。
【０１４９】
前記ＵＥがinter-RAT測定開始メッセージを受信すると、前記ＵＥは、現在自分が属しているＮｏｄｅ Ｂとのデータの送受信過程を遂行しないタイムスロットで他のＮｏｄｅ Ｂの信号を測定する。前記inter-RAT測定を開始すると、制御器１９２１は、ＲＦ部１９２２の周波数を制御してＲＦ部１９２２を通じて前記ＵＥが属している現在のＮｏｄｅ Ｂ以外の他の周辺Ｎｏｄｅ Ｂの信号を受信するようにする。前記周辺Ｎｏｄｅ Ｂは、現在属しているＮｏｄｅ Ｂと同一の周波数を使用するＮＢ−ＴＤＤＮｏｄｅ Ｂ、または前記現在のＮｏｄｅ Ｂと異なる周波数を使用するＮＢ−ＴＤＤＮｏｄｅ Ｂ、または他の通信方式を使用するＮｏｄｅ Ｂを含むことができる。前記“他の通信方式(other communication techniques)”は、図５で説明したように、ＧＳＭ、ＦＤＤ、ＷＢ−ＴＤＤ、ＣＤＭＡ−２０００、及びＩＳ−９５などになることができ、これは、図１、図２、図３、及び図４を参照して説明される。
【０１５０】
前記inter-frequencyまたはinter-RAT測定のために、ＲＦ部１９２２を通じて受信した他のＮｏｄｅ Ｂ信号は、他のＮｏｄｅ Ｂ信号の測定器１９５１に入力される。他のＮｏｄｅ Ｂ信号の測定器１９５１は、前記ＵＥが送受信過程を遂行しない間に他のＮｏｄｅ Ｂから受信された信号から前記他のＮｏｄｅ ＢのＰ−ＣＣＰＣＨ、Ｐ−ＳＣＨ、及びＳ−ＳＣＨ情報を読み出す。前記測定された信号は、使用者データ１９０１とともに送信器に入力された後に、Ｎｏｄｅ Ｂに伝送されることによってＳＲＮＣに報告される。 
【０１５１】
図２０は、図１９のＵＥの送受信器に対応するＮｏｄｅ Ｂの送受信器の構造を示す。 
まず、Ｎｏｄｅ ＢからＮｏｄｅ Ｂの内のＵＥにＤＬチャンネルを伝送する過程を図２０を参照して説明する。説明の便宜上、一人の使用者にＤＬチャンネルを伝送する部分のみを詳細に説明する。しかし、Ｎｏｄｅ Ｂの内の他の使用者にも同一の方法にてＤＬチャンネルを伝送することができることは自明である。
【０１５２】
図２０を参照すると、参照番号２００１は、使用者に伝送されるＤＬデータを示す。ＤＬデータ２００１は、符号器２００２を通じてチャンネル区分用直交符号化された後に、インターリーバー２００３に入力される。インターリーバー２００３は、前記符号化されたＤＬデータをインターリービングして多重化器２００６に提供する。多重化器２００６は、インターリーバー２００３から出力された前記インターリービングされた使用者データをＴＰＣ２００５、ＴＦＣＩ２００４、及びＳＳ２０６０と多重化して使用者データ部を生成する。前記使用者データ部は、拡散器２００７でＤＬチャンネルに使用されるＯＶＳＦ符号でチャンネル拡散された後に、前記拡散された使用者データ部は、乗算器２００８で使用者に伝送するＤＬチャンネルの送信電力を制御するためのチャンネル利得と乗じられた後に合計器２０１１に入力される。
【０１５３】
本発明は、inter-frequencyまたはinter-RAT測定のために、Ｎｏｄｅ ＢがＵＥと通信しているチャンネルを変更する過程を提供する。図１１で説明したように、ＵＥは、前記inter-frequencyまたはinter-RAT測定のためにチャンネルを再び割り当て、ＵＥが使用するチャンネルは、Ｎｏｄｅ Ｂに伝送される。従って、前記Ｎｏｄｅ Ｂは、図１１で説明したように、inter-frequencyまたはinter-RAT測定のためにＤＬチャンネルコードを変更しなければならない。拡散器２００７で乗じられるチャンネルコードを前記inter-frequencyまたはinter-RAT測定のために再び割り当てられたチャンネルコードに変更するように、制御器２０２１が拡散器２００７を制御する。制御器２０２１は、ＳＲＮＣからＮｏｄｅ Ｂに伝送したパラメータに従って拡散器２００７で使用されるチャンネルコードを決定し、拡散器２００７は、前記使用者データ部と前記inter-frequencyまたはinter-RAT測定のために再び割り当てられたチャンネルコードを乗じる過程を遂行する。
【０１５４】
合計器２０１１は、ＤＬ共通チャンネル２０１０、他の使用者チャンネル２００９、及び使用者チャンネルを合計する。前記チャンネルは、それぞれ相互に異なるＯＶＳＦ符号でチャンネル拡散されているので、合計されても相互影響を及ぼさない。合計器２０１１から出力されたＤＬチャンネルは、乗算器２０１２でＮｏｄｅ Ｂが使用するスクランブリングコードでスクランブリングされた後に多重化器２０１４に入力される。多重化器２０１４は、ＤＬチャンネルとミッドアンブル２０１３を多重化させてＤＬチャンネルスロットを生成する。ミッドアンブル２０１３は、ミッドアンブル２０１３を受信したＵＥがＮｏｄｅ Ｂの送信電力レベルを推定するために使用される。また、ミッドアンブル２０１３は、多重化器９１４で多重化されたＤＬチャンネルスロットを通じて伝送するチャンネルを確認するために使用される。
【０１５５】
多重化器２０１４の出力は、変調器２０１５に入力される。変調器２０１５は、入力されたＤＬチャンネル信号を変調し、変調方式には、ＱＰＳＫ、８ＰＳＫ、及びＱＡＭ(Quadrature Amplitude Modulation)などが使用されることができる。前記変調されたＤＬチャンネル信号は、スイッチ２０２０に入力され、スイッチ２０２０は、制御器２０２１の制御の下に、ＤＬチャンネルスロットの伝送時点で復調器２０１５に連結されて、前記ＤＬチャンネルスロットがＲＦ部２０２２に入力されるようにする。スイッチ２０２０は、制御器２０２１の制御の下に、ＤｗＰＴＳ生成器２０１６に連結されて、ＤｗＰＴＳ伝送時点でＤｗＰＴＳを伝送する。前記ＤｗＰＴＳは、前記ＤｗＰＴＳを受信したＵＥが初期セル検索過程でＮｏｄｅ Ｂ情報を含んでいるＢＣＨの位置とＮｏｄｅ Ｂ信号のサイズを推定するのに使用される。ＲＦ部２０２２は、前記ＤＬチャンネルスロットを搬送波周波数帯域信号に上向変換した後に、アンテナ２０２３を通じてＮｏｄｅ Ｂの内のすべてのＵＥに搬送波周波数帯域信号を伝送する。
【０１５６】
次に、Ｎｏｄｅ Ｂの内のＵＥからのＵＬ信号を受信する過程を、図２０を参照して説明する。
アンテナ２０２３を通じて受信したＵＬ信号は、ＲＦ部２０２２によって搬送波周波数帯域信号から基底帯域信号へ下向変換された後に、スイッチ２０２０に入力される。スイッチ２０２０は、制御器２０２１の制御の下に、前記ＵＥから受信したＵＬ信号を一定の時点で復調器２０３１に提供する。制御器２０２１は、inter-frequencyまたはinter-RAT測定の間に、ＵＥとＮｏｄｅ Ｂとの間のデータの送受信チャンネルを再び割り当てるために、ＳＲＮＣで決定したパラメータに基づいた新たなチャンネルコードに対する情報を利用して、拡散器２００７及び逆拡散器２０３５を制御して再び割り当てられたチャンネルコードをＵＥ及びＤＬ信号と乗じる機能と、Ｎｏｄｅ Ｂの内のＵＥがＵＬチャンネル信号を伝送する時点を確認し、スイッチ２０２０を制御する機能と、を備えている。また、制御器２０２１は、ＵｐＰＴＳの受信時点で、スイッチ２０２０をＵｐＰＴＳ解釈器２０３０に連結して、各ＵＥから伝送されたＵｐＰＴＳを解釈することができるようする機能も備えている。
【０１５７】
復調器２０３１は、入力されたＵＬ信号を復調した後に多重化器２０３２に入力させる。多重化器２０３２は、受信されたＵＬ信号をミッドアンブル２０３３及びＵＬ信号データ部に分離する機能を遂行する。ミッドアンブル２０３３は、複数の使用者の検出、ＵＥとＮｏｄｅ Ｂとの間のチャンネル環境の推定、及びＵＥの送信信号のサイズなどの推定を遂行するために使用される。多重化器２０３２から出力されたＵＬ信号データ部は、乗算器２０３４に入力され、乗算器２０３４は、図１９のＵＥ送受信器で使用したスクランブリングコードと乗じられてデスクランブリングされる。前記デスクランブリングされたＵＬ信号データ部は、逆拡散器２０３５に入力される。逆拡散器２０３５は、前記デスクランブリングされたＵＬ信号データ部と各ＵＥで使用したチャンネルコードと同一のチャンネルコードを乗じる過程を遂行する。前記ＵＥがinter-frequencyまたはinter-RAT測定の要請をＳＲＮＣから受信すると、前記ＵＥは、データ伝送のための送受信チャンネルを前記ＳＲＮＣで決定されたパターンで再び割り当てるようになる。前記チャンネルの再割当て要請は、前記ＵＥのみならず前記Ｎｏｄｅ Ｂにも伝送され、制御器２０２１は、前記ＳＲＮＣが伝送したチャンネル再割当て情報に従って、逆拡散器２０３５を制御してチャンネルコードを変更することにより、前記再び割り当てられたチャンネルコードを入力されるデータ部と乗じる。前記再割当てコードと乗じられたデータは、使用者別に信号が分離され、使用者のＵＬ信号データ部は、多重化器２０３６に入力される。
【０１５８】
逆多重化器２０３６は、使用者のＵＬ信号データ部をＴＰＣ２０３７、ＴＦＣＩ２０３８、及びＳＳ２０７０と使用者データを逆多重化する。ＴＰＣ２０３７は、ＵＬ電力制御器(図示省略)でＵＬ信号の送信電力を制御するために使用される。ＴＦＣＩ２０３８は、使用者データ部に使用された伝送形式の解釈に使用され、ＳＳ２０７０は、前記ＵＥへ伝送されるＤＬチャンネルの送信時点の調節に使用される。逆多重化器２０３６から出力された使用者データは、デインターリーバー２０３９に入力されてデインターリービングされた後に、復号器２０４０に入力されて復号されることによって使用者データ２０４１に出力される。逆拡散器２０３５から出力された他の使用者ＵＬチャンネル２０５０も前記使用者データと同一の過程を通じて受信される。
【０１５９】
前記過程を通じて受信された使用者データ２０４１は、前記ＵＥが他のＮｏｄｅ Ｂの信号を測定したinter-frequencyまたはinter-RAT測定データを含むことができる。前記測定データはＳＲＮＣへ伝送される。そうすると、前記ＳＲＮＣは、前記報告された測定データを利用してハンドオーバーなどの他の動作を遂行することができる。
【０１６０】
前述した本発明では、説明の便宜のために、ＮＢ−ＴＤＤ方式を例に挙げて説明してきたが、前記ＮＢ−ＴＤＤ方式と類似して逆方向及び順方向伝送を時分割に区別する移動通信方式でも本発明で提案された方法は同一に使用されることができる。
【０１６１】
以上、本発明を具体的な実施形態を参照して詳細に説明してきたが、本発明の範囲は前述の実施形態によって限られるべきではなく、本発明の範囲内で様々な変形が可能であるということは、当該技術分野における通常の知識を持つ者には明らかである。
【図面の簡単な説明】
【０１６２】
【図１Ａ】通常的なＮＢ−ＴＤＤ方式を使用する移動通信システムでのチャンネル構造を示す図である。
【図１Ｂ】通常的なＮＢ−ＴＤＤ方式を使用する移動通信システムでのチャンネル構造を示す図である。
【図２Ａ】通常的なＷＢ−ＴＤＤ方式を使用する移動通信システムでのチャンネル構造を示す図である。
【図２Ｂ】通常的なＷＢ−ＴＤＤ方式を使用する移動通信システムでのチャンネル構造を示す図である。
【図２Ｃ】通常的なＷＢ−ＴＤＤ方式を使用する移動通信システムでのチャンネル構造を示す図である。
【図３Ａ】通常的なＧＳＭ方式を使用する移動通信システムでのチャンネル構造を示す図である。
【図３Ｂ】通常的なＧＳＭ方式を使用する移動通信システムでのチャンネル構造を示す図である。
【図３Ｃ】通常的なＧＳＭ方式を使用する移動通信システムでのチャンネル構造を示す図である。
【図４】通常的なＦＤＤ方式を使用する移動通信システムでのチャンネル構造を示す図である。
【図５】通常的な移動通信システムでのハンドオーバー状態を概念的に示す図である。
【図６】従来のＮＢ−ＴＤＤ方式を使用する移動通信システムでのハンドオーバー状況でターゲットＮｏｄｅ Ｂの探索区間を説明するための図である。
【図７】本発明に従うＮＢ−ＴＤＤ方式を使用する移動通信システムでのハンドオーバー状況でターゲットＮｏｄｅ Ｂを探索する区間を説明する図である。
【図８】本発明に従うＮＢ−ＴＤＤ方式を使用する移動通信システムでのハンドオーバー状況でターゲットＮｏｄｅ Ｂを探索する区間を説明する図である。
【図９】本発明に従うＮＢ−ＴＤＤ方式を使用する移動通信システムでのハンドオーバー状況でターゲットＮｏｄｅ Ｂを探索する区間を説明する図である。
【図１０】本発明に従うＮＢ−ＴＤＤ方式を使用する移動通信システムでのハンドオーバー状況でターゲットＮｏｄｅ Ｂを探索する区間を説明する図である。
【図１１】本発明の実施例に従うＮＢ−ＴＤＤ方式を使用する移動通信システムでのハンドオーバー状況でターゲットＮｏｄｅ Ｂを探索するための手順を示す図である。
【図１２】本発明の実施例に従うＮＢ−ＴＤＤ方式を使用する移動通信システムでのハンドオーバー状況でターゲットＮｏｄｅ Ｂを探索するパターンの例を示す図である。
【図１３】本発明の実施例に従うＮＢ−ＴＤＤ方式を使用する移動通信システムでハンドオーバー状況でのシグナリング手順を示す図である。
【図１４】本発明の実施例に従うＲＮＣの動作を示す図である。
【図１５】本発明の実施例に従うＮｏｄｅ Ｂの動作を示す図である。
【図１６】本発明の実施例に従うＵＥの動作を示す図である。
【図１７】本発明の実施例に従う効率的な向上のためのＲＮＣの動作を示す図である。
【図１８】本発明の実施例に従う効率的な向上のためのＵＥの動作を示す図である。
【図１９】本発明の実施例に従うＵＥの送受信器の構造を示す図である。
【図２０】本発明の実施例に従うＮｏｄｅ Ｂの送受信器の構造を示す図である。
【図２１】本発明の実施例に従う測定区間数列の構造を示す図である。
【図２２】本発明の実施例に従う測定区間パターンの例を示す図である。
【図２３】本発明の実施例に従う測定区間パターンの例を示す図である。
【図２４】本発明の実施例に従う測定区間パターンの例を示す図である。
【図２５】本発明の実施例に従う測定パラメータを決定するための手順を示す図である。
【図２６Ａ】本発明の実施例に従う測定区間パターンの例を示す図である。
【図２６Ｂ】本発明の実施例に従う測定区間パターンの例を示す図である。
【図２６Ｃ】本発明の実施例に従う測定区間パターンの例を示す図である。
【図２６Ｄ】本発明の実施例に従う測定区間パターンの例を示す図である。
【図１Ａ】
2005510124.tif 000014
【図１Ｂ】
2005510124.tif 000015
【図２Ａ】
2005510124.tif 000016
【図２Ｂ】
2005510124.tif 000017
【図２Ｃ】
2005510124.tif 000018
【図３Ａ】
2005510124.tif 000019
【図３Ｂ】
2005510124.tif 000020
【図３Ｃ】
2005510124.tif 000021
【図４】
2005510124.tif 000022
【図５】
2005510124.tif 000023
【図６】
2005510124.tif 000024
【図７】
2005510124.tif 000025
【図８】
2005510124.tif 000026
【図９】
2005510124.tif 000027
【図１０】
2005510124.tif 000028
【図１１】
2005510124.tif 000029
【図１２】
2005510124.tif 000030
【図１３】
2005510124.tif 000031
【図１４】
2005510124.tif 000032
【図１５】
2005510124.tif 000033
【図１６】
2005510124.tif 000034
【図１７】
2005510124.tif 000035
【図１８】
2005510124.tif 000036
【図１９】
2005510124.tif 000037
【図２０】
2005510124.tif 000038
【図２１】
2005510124.tif 000039
【図２２】
2005510124.tif 000040
【図２３】
2005510124.tif 000041
【図２４】
2005510124.tif 000042
【図２５】
2005510124.tif 000043
【図２６Ａ】
2005510124.tif 000044
【図２６Ｂ】
2005510124.tif 000045
【図２６Ｃ】
2005510124.tif 000046
【図２６Ｄ】
2005510124.tif 000047
【国際調査報告】
2005510124.tif 000048
2005510124.tif 000049